(57)【要約】  本発明は、通信技術の分野に関し、詳細には、ＲＬＣデータパケットオフロード方法および基地局に関して、マクロｅノードＢとマイクロｅノードＢとの間の比較的長い伝送遅延のために非理想的なバックホールＨｅｔＮｅｔのＣＡシナリオにおけるＵＥのパフォーマンスが影響されるという問題を解消するようにする。本発明の実施形態において、マイクロｅノードＢが、スケジューリングが実行される前に、要求されるＲＬＣデータパケットを要求してよく、したがって、マクロｅノードＢが、マイクロｅノードＢに前もって、マイクロｅノードＢによって要求されるＲＬＣデータパケットを送信することができ、このことが、マクロｅノードＢとマイクロｅノードＢとの間の伝送遅延を可能な限り低減し、ＵＥの受信パフォーマンスを向上させる。
2018510548.tif 000002
【特許請求の範囲】
【請求項１】
第１の基地局によって、第２の基地局によって送信されたＲＬＣデータパケット要求メッセージを受信するステップであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するために前記第２の基地局によって使用され、前記ＲＬＣデータパケット要求メッセージは、第１の時点で前記第１の基地局に前記第２の基地局によって送信され、前記第１の時点と第２の時点との間の時間差は、Ｔであり、およびＴは、２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延である、ステップと、
前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定するステップであって、Ｔ−ｔの前記持続時間の開始時間は、前記第１の基地局が前記ＲＬＣデータパケット要求メッセージを受信する時点である、ステップと、
前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てるステップ、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てるステップと、
前記第１の基地局によって、前記第１の量の前記ＲＬＣデータパケットを前記第２の基地局に送信するステップと
を備えたことを特徴とする無線リンク制御（ＲＬＣ）データパケットオフロード方法。
【請求項２】
前記第１の基地局によって、前記一次セルを使用することによって前記第２の量の前記ＲＬＣデータパケットを前記ＵＥに送信するステップをさらに備えたことを特徴とする請求項１に記載の方法。
【請求項３】
前記第１の基地局によって、前記一次セルを使用することによって、前記ＵＥによって送信された肯定応答（ＡＣＫ）／否定応答（ＮＡＣＫ）情報を受信するステップであって、前記ＡＣＫ／ＮＡＣＫ情報は、前記第１の量の前記ＲＬＣデータパケットに関する前記ＵＥのフィードバック情報と、前記第２の量の前記ＲＬＣデータパケットに関する前記ＵＥのフィードバック情報とを含む、ステップをさらに備えたことを特徴とする請求項２に記載の方法。
【請求項４】
前記第１の基地局によって、前記一次セルを使用することによって、前記ＵＥによって送信されたＡＣＫ／ＮＡＣＫ情報を受信する前記ステップの後に、方法は、
前記第１の量の前記ＲＬＣデータパケットに関し、および前記第１の基地局によって受信された前記フィードバック情報が、ＮＡＣＫを含む場合、前記第１の基地局によって、前記第２の基地局によって前記二次セルを使用することによって前記ＮＡＣＫに対応するＲＬＣデータパケットに対してハイブリッド自動再送要求（ＨＡＲＱ）を実行することによって、ＨＡＲＱ複合利得を獲得することができるかどうかを決定するステップと、
前記ＨＡＲＱ複合利得を獲得することができる場合、前記第１の基地局によって、前記第２の基地局に前記ＮＡＣＫを送信するステップ、および前記ＲＬＣデータパケットを前記ＵＥにＨＡＲＱ方式で再送するように前記第２の基地局に命令するステップと
をさらに備えたことを特徴とする請求項３に記載の方法。
【請求項５】
前記第１の基地局によって、前記第２の基地局によって、前記二次セルを使用することによって、前記ＮＡＣＫに対応するＲＬＣデータパケットに対してＨＡＲＱを実行することによって、ＨＡＲＱ複合利得を獲得することができるかどうかを決定する前記ステップは、特に、
前記第１の基地局が、前記二次セルにおいて前記第２の基地局によって現在、使用されるＨＡＲＱプロセスの量がＨＡＲＱプロセスの最大量未満であると決定したとき、前記第１の基地局によって、前記第２の基地局によって前記二次セルを使用することによって前記ＮＡＣＫに対応する前記ＲＬＣデータパケットに対して前記ＨＡＲＱを実行することによって前記ＨＡＲＱ複合利得を獲得することができると決定するステップを備えたことを特徴とする請求項４に記載の方法。
【請求項６】
前記第１の基地局が、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記第１の基地局によって、前記一次セルを使用することによって、前記ＮＡＣＫに対応する前記ＲＬＣデータパケットを前記ＵＥに自動再送要求（ＡＲＱ）方式で再送するステップをさらに備えたことを特徴とする請求項４または５に記載の方法。
【請求項７】
前記第１の基地局によって、前記一次セルを使用することによって、前記ＵＥによって送信されたＡＣＫ／ＮＡＣＫ情報を受信する前記ステップの前に、方法は、
前記第１の基地局によって、前記第２の基地局によって送信されたＲＬＣパケット組立て結果を受信するステップであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含む、該ステップと、
前記一次セルを使用することによって前記第１の基地局によって、前記ＮＡＣＫに対応する前記ＲＬＣデータパケットを前記ＵＥにＡＲＱ方式で再送する前記ステップは、特に、
前記一次セルを使用することによって前記ＲＬＣパケット組立て結果に従って前記第１の基地局によって、前記ＮＡＣＫに対応する前記ＲＬＣデータパケットを前記ＵＥに前記ＡＲＱ方式で再送するステップと、
をさらに備えたことを特徴とする請求項６に記載の方法。
【請求項８】
前記第１の基地局は、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記第１の基地局によって、前記第２の基地局に前記ＮＡＣＫを送信するステップ、および前記二次セルを使用することによって、前記ＮＡＣＫに対応する前記ＲＬＣデータパケットを前記ＵＥにＡＲＱ方式で再送するように前記第２の基地局に命令するステップをさらに備えたことを特徴とする請求項４または５に記載の方法。
【請求項９】
第２の基地局によって、ＲＬＣデータパケット要求メッセージを第１の基地局に送信するステップであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、第１の時点で前記第１の基地局に前記第２の基地局によって送信され、前記第１の時点と第２の時点との間の時間差はＴであり、および、Ｔは２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延である、該ステップと、
前記第２の基地局によって、前記第１の基地局によって送信された前記第１の量の前記ＲＬＣデータパケットを受信するステップであって、前記第１の量の前記ＲＬＣデータパケットを決定するプロセスは、前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定するステップであって、Ｔ−ｔの前記持続時間の開始時間は、前記第１の基地局が前記ＲＬＣデータパケット要求メッセージを受信する時点である、ステップ、ならびに前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てるステップ、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てるステップを含む、ステップと
を備えたことを特徴とする無線リソース制御（ＲＬＣ）データパケットオフロード方法。
【請求項１０】
前記第２の基地局によって、前記第１の基地局によって送信され、および前記第１の量の前記ＲＬＣデータパケットの一部分またはすべてに関する前記ＵＥのものであるフィードバック情報を受信するステップであって、前記第１の量の前記ＲＬＣデータパケットに関する前記ＵＥの前記フィードバック情報は、前記ＵＥによって前記第１の基地局に送信された肯定応答（ＡＣＫ）／否定応答（ＮＡＣＫ）情報に属し、および前記ＡＣＫ／ＮＡＣＫ情報は、前記第２の量の前記ＲＬＣデータパケットに関する前記ＵＥのフィードバック情報をさらに含む、ステップをさらに備えたことを特徴とする請求項９に記載の方法。
【請求項１１】
前記第２の基地局によって、前記第１の基地局によって送信され、および前記第１の量の前記ＲＬＣデータパケットの一部分またはすべてに関する前記ＵＥのものであるフィードバック情報を前記受信する前記ステップの前に、方法は、
前記第２の基地局によって、前記第１の基地局にＲＬＣパケット組立て結果を送信するステップであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含む、該ステップをさらに備えたことを特徴とする請求項１０に記載の方法。
【請求項１２】
第１の基地局として動作するように構成された基地局であって、
第２の基地局によって送信された無線リンク制御（ＲＬＣ）データパケット要求メッセージを受信するように構成された第１の受信モジュールであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、第１の時点で前記第１の基地局に前記第２の基地局によって送信され、前記第１の時点と第２の時点との間の時間差はＴであり、および、Ｔは２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延である、第１の受信モジュールと、
前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定するように構成された決定モジュールであって、Ｔ−ｔの前記持続時間の開始時間は、前記第１の基地局が前記ＲＬＣデータパケット要求メッセージを受信する時点である、決定モジュールと、
送信されるべきＲＬＣデータパケットのシリアル番号の昇順で、前記送信されるべきＲＬＣデータパケットにおける前記第２の量の第１のＲＬＣデータパケットを前記第１の基地局に割り当てること、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てることを行うように構成された割当てモジュールと、
前記第１の量の前記ＲＬＣデータパケットを前記第２の基地局に送信するように構成された第１の送信モジュールと
を備えたことを特徴とする基地局。
【請求項１３】
第２の送信モジュールをさらに備える基地局であって、
前記第２の送信モジュールは、
前記一次セルを使用することによって前記第２の量の前記ＲＬＣデータパケットを前記ＵＥに送信するように構成されたことを特徴とする請求項１２に記載の基地局。
【請求項１４】
第２の受信モジュールをさらに備える基地局であって、
前記第２の受信モジュールは、
前記一次セルを使用することによって、前記ＵＥによって送信された肯定応答（ＡＣＫ）／否定応答（ＮＡＣＫ）情報を受信することであって、前記ＡＣＫ／ＮＡＣＫ情報は、前記第１の量の前記ＲＬＣデータパケットに関する前記ＵＥのフィードバック情報と、前記第２の量の前記ＲＬＣデータパケットに関する前記ＵＥのフィードバック情報とを含むように構成されたことを特徴とする請求項１３に記載の基地局。
【請求項１５】
前記第２の受信モジュールは、前記一次セルを使用することによって、前記ＵＥによって送信された前記ＡＣＫ／ＮＡＣＫ情報を受信した後、前記ＡＣＫ／ＮＡＣＫ情報の中にあり、および前記第１の量の前記ＲＬＣデータパケットに関する前記フィードバック情報が、ＮＡＣＫを含む場合、前記第２の基地局によって前記二次セルを使用することによって前記ＮＡＣＫに対応するＲＬＣデータパケットに対してハイブリッド自動再送要求（ＨＡＲＱ）を実行することによって、ＨＡＲＱ複合利得を獲得することができるかどうかを決定するように構成された判定モジュールをさらに備える基地局であって、
前記第１の送信モジュールは、前記ＨＡＲＱ複合利得を獲得することができる場合、前記第２の基地局に前記ＮＡＣＫを送信すること、および前記ＲＬＣデータパケットを前記ＵＥにＨＡＲＱ方式で再送するように第２の基地局に命令するようにさらに構成されたことを特徴とする請求項１４に記載の基地局。
【請求項１６】
前記判定モジュールは、特に、
前記二次セルにおいて前記第２の基地局によって現在、使用されるＨＡＲＱプロセスの量がＨＡＲＱプロセスの最大量未満であると決定したとき、前記第２の基地局によって、前記二次セルを使用することによって、前記ＮＡＣＫに対応する前記ＲＬＣデータパケットに対して前記ＨＡＲＱを実行することによって、前記ＨＡＲＱ複合利得を獲得することができることを決定するように構成されたことを特徴とする請求項１５に記載の基地局。
【請求項１７】
前記判定モジュールが、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記一次セルを使用することによって、および前記第２の送信モジュールを使用することによって、前記ＮＡＣＫに対応する前記ＲＬＣデータパケットを前記ＵＥに自動再送要求（ＡＲＱ）方式で再送するように構成された再送モジュールをさらに備えたことを特徴とする請求項１５または１６に記載の基地局。
【請求項１８】
前記第１の受信モジュールは、
前記第２の受信モジュールが、前記一次セルを使用することによって、前記ＵＥによって送信された前記ＡＣＫ／ＮＡＣＫ情報を受信する前に、前記第２の基地局によって送信されたＲＬＣパケット組立て結果を受信することであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含み、
前記再送モジュールは、特に、前記一次セルを使用することによっておよび前記第２の送信モジュールを使用することによって、前記ＲＬＣパケット組立て結果に従って、前記ＮＡＣＫに対応する前記ＲＬＣデータパケットを前記ＵＥに前記ＡＲＱ方式で再送するように構成されたことを特徴とする請求項１７に記載の基地局。
【請求項１９】
前記第１の送信モジュールは、
前記判定モジュールは、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記第２の基地局に前記ＮＡＣＫを送信すること、および前記二次セルを使用することによって、前記ＮＡＣＫに対応する前記ＲＬＣデータパケットを前記ＵＥにＡＲＱ方式で再送するように前記第２の基地局に命令するようにさらに構成されたことを特徴とする請求項１５または１６に記載の基地局。
【請求項２０】
第２の基地局として動作するように構成された基地局であって、
無線リンク制御（ＲＬＣ）データパケット要求メッセージを第１の基地局に送信するように構成された第１の送信モジュールであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、前記第２の基地局によって第１の時点でおよび前記第１の送信モジュールを使用することによって前記第１の基地局に送信され、前記第１の時点と第２の時点との間の時間差は、Ｔであり、およびＴは、２ｔ以上であり、前記第２の時点は、前記第２の基地局が、第２の送信モジュールを使用することによって前記第１の量のＲＬＣデータパケットを前記ＵＥに送信する時点であり、およびｔは、前記第２の基地局と前記第１の基地局との間の単方向伝送遅延である、該第１の送信モジュールと、
前記第１の基地局によって送信された前記第１の量の前記ＲＬＣデータパケットを受信するように構成された第１の受信モジュールであって、前記第１の量の前記ＲＬＣデータパケットを決定するプロセスは、前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定することであって、Ｔ−ｔの前記持続時間の開始時間は、前記第１の基地局が前記ＲＬＣデータパケット要求メッセージを受信する時点である、こと、ならびに前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てること、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てることを含む、該第１の受信モジュールと
を備えたことを特徴とする基地局。
【請求項２１】
前記第１の受信モジュールは、
前記第１の基地局によって送信され、および前記第１の量の前記ＲＬＣデータパケットの一部分またはすべてに関する前記ＵＥのものであるフィードバック情報を受信することであって、前記第１の量の前記ＲＬＣデータパケットに関する前記ＵＥの前記フィードバック情報は、前記ＵＥによって前記第１の基地局に送信された肯定応答（ＡＣＫ）／否定応答（ＮＡＣＫ）情報に属し、および前記ＡＣＫ／ＮＡＣＫ情報は、前記第２の量の前記ＲＬＣデータパケットに関する前記ＵＥのフィードバック情報をさらに含む、該受信するようにさらに構成されたことを特徴とする請求項２０に記載の基地局。
【請求項２２】
前記第１の送信モジュールは、
前記第１の受信モジュールが、前記第１の基地局によって送信され、および前記第１の量の前記ＲＬＣデータパケットの一部分またはすべてに関する前記ＵＥのものである前記フィードバック情報を受信する前に、前記第１の基地局にＲＬＣパケット組立て結果を送信することであって、前記ＲＬＣパケット組立て結果は、前記二次セルを使用することによっておよび前記第２の送信モジュールを使用することによって、前記ＵＥに前記第２の基地局によって伝送されたＲＬＣデータパケットについての情報を示すのに使用され、および、前記二次セルを使用することによっておよび前記第２の送信モジュールを使用することによって、前記ＵＥに前記第２の基地局によって伝送された前記ＲＬＣデータパケットは、前記第１の量の前記ＲＬＣデータパケットの一部分またはすべてを含む、該送信するようにさらに構成されたことを特徴とする請求項２１に記載の基地局。
【請求項２３】
第１の基地局として動作するように構成され、およびメモリと、プロセッサと、インターフェースとを備える基地局であって、
前記メモリは、命令を記憶するように構成され、
前記インターフェースは、第２の基地局によって送信された無線リンク制御（ＲＬＣ）データパケット要求メッセージを受信することであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、第１の時点で前記第１の基地局に前記第２の基地局によって送信され、前記第１の時点と第２の時点との間の時間差はＴであり、および、Ｔは２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延であることを行うように構成され、
前記プロセッサは、前記メモリの前記命令を呼び出して、前記ＲＬＣデータパケット要求メッセージに従ってＴ−ｔの持続時間において一次セルを使用することによって、前記第１の基地局によって、前記ＵＥに送信されるべきＲＬＣデータパケットの第２の量を決定することであって、Ｔ−ｔの前記持続時間の開始時間は、前記第１の基地局が前記ＲＬＣデータパケット要求メッセージを受信する時点であること、ならびに送信されるべきＲＬＣデータパケットのシリアル番号の昇順で、前記送信されるべきＲＬＣデータパケットにおける前記第２の量の第１のＲＬＣデータパケットを前記第１の基地局に割り当てること、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てることを行い、および
前記プロセッサは、前記インターフェースを使用することによって前記第１の量の前記ＲＬＣデータパケットを前記第２の基地局に送信するようにさらに構成されたことを特徴とする基地局。
【請求項２４】
トランシーバをさらに備える基地局であって、
前記プロセッサは、
前記一次セルを使用することによって、および前記トランシーバを使用することによって前記第２の量の前記ＲＬＣデータパケットを前記ＵＥに送信するようにさらに構成されたことを特徴とする請求項２３に記載の基地局。
【請求項２５】
前記トランシーバは、
前記一次セルを使用することによって、前記ＵＥによって送信された肯定応答（ＡＣＫ）／否定応答（ＮＡＣＫ）情報を受信することであって、前記ＡＣＫ／ＮＡＣＫ情報は、前記第１の量の前記ＲＬＣデータパケットに関する前記ＵＥのフィードバック情報と、前記第２の量の前記ＲＬＣデータパケットに関する前記ＵＥのフィードバック情報とを含む、該受信するようにさらに構成されたことを特徴とする請求項２４に記載の基地局。
【請求項２６】
前記プロセッサは、
前記トランシーバが、前記一次セルを使用することによって、前記ＵＥによって送信された前記ＡＣＫ／ＮＡＣＫ情報を受信した後、前記ＡＣＫ／ＮＡＣＫ情報の中にあり、および前記第１の量の前記ＲＬＣデータパケットに関する前記フィードバック情報が、ＮＡＣＫを備える場合、前記第２の基地局によって前記二次セルを使用することによって前記ＮＡＣＫに対応するＲＬＣデータパケットに対してハイブリッド自動再送要求（ＨＡＲＱ）を実行することによって、ＨＡＲＱ複合利得を獲得することができるかどうかを決定すること、および前記ＨＡＲＱ複合利得が獲得されることができる場合、前記インターフェースを使用することによって前記第２の基地局に前記ＮＡＣＫを送信すること、および前記ＲＬＣデータパケットを前記ＵＥにＨＡＲＱ方式で再送するように前記第２の基地局に命令するようにさらに構成されたことを特徴とする請求項２５に記載の基地局。
【請求項２７】
前記プロセッサが、前記第２の基地局によって、前記二次セルを使用することによって、前記ＮＡＣＫに対応するＲＬＣデータパケットに対してＨＡＲＱを実行することによってＨＡＲＱ複合利得を獲得することができるかどうかを決定するようにさらに構成されることは、特に、
前記二次セルにおいて前記第２の基地局によって現在、使用されるＨＡＲＱプロセスの量がＨＡＲＱプロセスの最大量未満であると決定されたとき、前記第２の基地局によって、前記二次セルを使用することによって、前記ＮＡＣＫに対応する前記ＲＬＣデータパケットに対して前記ＨＡＲＱを実行することによって前記ＨＡＲＱ複合利得を獲得することができると決定することであることを特徴とする請求項２６に記載の基地局。
【請求項２８】
前記プロセッサは、
前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定された場合、前記一次セルを使用することによって、および前記トランシーバを使用することによって、前記ＮＡＣＫに対応する前記ＲＬＣデータパケットを前記ＵＥに自動再送要求（ＡＲＱ）方式で再送するようにさらに構成されたことを特徴とする請求項２６または２７に記載の基地局。
【請求項２９】
前記インターフェースは、前記トランシーバが、前記一次セルを使用することによって、前記ＵＥによって送信された前記ＡＣＫ／ＮＡＣＫ情報を受信する前に、前記第２の基地局によって送信されたＲＬＣパケット組立て結果を受信することであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含む、該受信するようにさらに構成され、および
前記プロセッサが、前記一次セルを使用することによって、および前記トランシーバを使用することによって、前記ＮＡＣＫに対応する前記ＲＬＣデータパケットを前記ＵＥにＡＲＱ方式で再送するようにさらに構成されることは、特に、前記一次セルを使用することによっておよび前記トランシーバを使用することによって、前記ＲＬＣパケット組立て結果に従って、前記ＮＡＣＫに対応する前記ＲＬＣデータパケットを前記ＵＥに前記ＡＲＱ方式で再送することであることを特徴とする請求項２８に記載の基地局。
【請求項３０】
前記プロセッサは、
前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記インターフェースを使用することによって、前記第２の基地局に前記ＮＡＣＫを送信すること、および前記二次セルを使用することによって、前記ＮＡＣＫに対応する前記ＲＬＣデータパケットを前記ＵＥにＡＲＱ方式で再送するように前記第２の基地局に命令するようにさらに構成されたことを特徴とする請求項２６または２７に記載の基地局。
【請求項３１】
第２の基地局として動作するように構成され、およびメモリと、プロセッサと、インターフェースと、トランシーバとを備える基地局であって、
前記メモリは、命令を記憶するように構成され、
前記プロセッサは、前記メモリに記憶された前記命令を呼び出して、前記インターフェースを使用することによって、無線リンク制御（ＲＬＣ）データパケット要求メッセージを第１の基地局に送信することであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、第１の時点で前記インターフェースを使用することによって前記第１の基地局に前記プロセッサによって送信され、前記第１の時点と第２の時点との間の時間差はＴであり、およびＴは２ｔ以上であり、前記第２の時点は、前記プロセッサが前記トランシーバを使用することによって前記第１の量のＲＬＣデータパケットを前記ＵＥに送信する時点であり、およびｔは、前記第２の基地局と前記第２の基地局との間の単方向伝送遅延である、ことを行い、および
前記インターフェースは、前記第１の基地局によって送信された前記第１の量の前記ＲＬＣデータパケットを受信することであって、前記第１の量の前記ＲＬＣデータパケットを決定するプロセスは、前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定することであって、Ｔ−ｔの前記持続時間の開始時間は、前記第１の基地局が前記ＲＬＣデータパケット要求メッセージを受信する時点であること、ならびに前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てること、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てることを含む、ように構成されたことを特徴とする基地局。
【請求項３２】
前記インターフェースは、
前記第１の基地局によって送信され、および前記第１の量の前記ＲＬＣデータパケットの一部分またはすべてに関する前記ＵＥのものであるフィードバック情報を受信することであって、前記第１の量の前記ＲＬＣデータパケットに関する前記ＵＥの前記フィードバック情報は、前記ＵＥによって前記第１の基地局に送信された肯定応答（ＡＣＫ）／否定応答（ＮＡＣＫ）情報に属し、および前記ＡＣＫ／ＮＡＣＫ情報は、前記第２の量の前記ＲＬＣデータパケットに関する前記ＵＥのフィードバック情報をさらに含む、該受信するようにさらに構成されたことを特徴とする請求項３１に記載の基地局。
【請求項３３】
前記プロセッサは、
前記インターフェースが、前記第１の基地局によって送信され、および前記第１の量の前記ＲＬＣデータパケットの一部分またはすべてに関する前記ＵＥのものである前記フィードバック情報を受信する前に、前記インターフェースを使用することによって前記第１の基地局にＲＬＣパケット組立て結果を送信することであって、前記ＲＬＣパケット組立て結果は、前記プロセッサによって、前記二次セルを使用することによって、および前記トランシーバを使用することによって前記ＵＥに伝送されたＲＬＣデータパケットについての情報を示すのに使用され、および前記プロセッサによって、前記二次セルを使用することによって、および前記トランシーバを使用することによって前記ＵＥに伝送された前記ＲＬＣデータパケットは、前記第１の量の前記ＲＬＣデータパケットの一部分またはすべてを含む、該送信するようにさらに構成されたことを特徴とする請求項３２に記載の基地局。
【発明の詳細な説明】
【技術分野】
【０００１】
本発明は、通信技術の分野に関し、詳細には、ＲＬＣデータパケットオフロード方法および基地局に関する。
【０００２】
本出願は、参照により全体としてともに本明細書に組み込まれている、２０１５年２月９日に中国特許庁に出願された、「ＲＬＣ  ＤＡＴＡ  ＰＡＣＫＥＴ  ＯＦＦＬＯＡＤＩＮＧ  ＭＥＴＨＯＤ  ＡＮＤ  ＢＡＳＥ  ＳＴＡＴＩＯＮ」という名称の中国特許出願第ＰＣＴ／ＣＮ２０１５／０７２５７２号、および２０１５年８月２５日に中国特許庁に出願された、「ＲＬＣ  ＤＡＴＡ  ＰＡＣＫＥＴ  ＯＦＦＬＯＡＤＩＮＧ  ＭＥＴＨＯＤ  ＡＮＤ  ＢＡＳＥ  ＳＴＡＴＩＯＮ」という名称の中国特許出願第ＰＣＴ／ＣＮ２０１５／０８８０４９号の優先権を主張する。
【背景技術】
【０００３】
ロングタームエボリューション（Ｌｏｎｇ  Ｔｅｒｍ  Ｅｖｏｌｕｔｉｏｎ、ＬＴＥ）システムは、発展型パケットコア（Ｅｖｏｌｖｅｄ  Ｐａｃｋｅｔ  Ｃｏｒｅ、ＥＰＣ）、発展型ノードＢ（Ｅｖｏｌｖｅｄ  ＮｏｄｅＢ、ｅＮｏｄｅＢ）、およびユーザ機器（Ｕｓｅｒ  Ｅｑｕｉｐｍｅｎｔ、ＵＥ）を含む。ＥＰＣは、コアネットワーク部分であり、およびシグナリング処理を担うモビリティ管理エンティティ（Ｍｏｂｉｌｉｔｙ  Ｍａｎａｇｅｍｅｎｔ  Ｅｎｔｉｔｙ、ＭＭＥ）と、データ処理を担うサービングゲートウェイ（Ｓｅｒｖｉｎｇ  Ｇａｔｅｗａｙ、ＳＧＷ）とを含む。ｅノードＢは、Ｓ１インターフェースを使用することによってＥＰＣに接続され、ｅノードＢは、Ｘ２インターフェースを使用することによって接続され、およびｅノードＢは、Ｕｕインターフェースを使用することによってＵＥに接続される。
【０００４】
発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）は、ｅノードＢを含み、および無線と関係付けられた機能を実施することを担う。Ｅ−ＵＴＲＡＮプロトコルフレームワークは、ユーザプレーンプロトコルと、制御プレーンプロトコルとを含む。ユーザプレーンプロトコルスタックは、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層と、無線リンク制御（Ｒａｄｉｏ  Ｌｉｎｋ  Ｃｏｎｔｒｏｌ、ＲＬＣ）層と、媒体アクセス制御（Ｍｅｄｉａ  Ａｃｃｅｓｓ  Ｃｏｎｔｒｏｌ、ＭＡＣ）層とを含む。
【０００５】
図１を参照すると、従来技術において、データパケットが、ＰＤＣＰエンティティからＲＬＣエンティティに送信されてよい。ＲＬＣエンティティは、透過モード（Ｔｒａｎｓｐａｒｅｎｔ  Ｍｏｄｅ、ＴＭ）と、非肯定応答モード（Ｕｎａｃｋｎｏｗｌｅｄｇｅｄ  Ｍｏｄｅ、ＵＭ）と、肯定応答モード（Ａｃｋｎｏｗｌｅｄｇｅｄ  Ｍｏｄｅ、ＡＭ）とを含んでよい。図１に示されるＲＬＣエンティティは、ＡＭ  ＲＬＣエンティティである。
【０００６】
理想的なバックホール異種ネットワーク（Ｈｅｔｅｒｏｇｅｎｅｏｕｓ  Ｎｅｔｗｏｒｋ、ＨｅｔＮｅｔ）のキャリアアグリゲーション（Ｃａｒｒｉｅｒ  Ａｇｇｒｅｇａｔｉｏｎ、ＣＡ）シナリオに関して、ＡＭ  ＲＬＣエンティティが、一次セル（Ｐｒｉｍａｒｙ  Ｃｅｌｌ、Ｐｃｅｌｌ）が属するマクロｅノードＢ（Ｍａｃｒｏ  ｅＮｏｄｅＢ）、および二次セル（Ｓｅｃｏｎｄａｒｙ  Ｃｅｌｌ、Ｓｃｅｌｌ）が属するマイクロｅノードＢ（Ｍｉｃｒｏ  ｅＮｏｄｅＢ）にデータパケットをオフロードして、一次セルおよび二次セルを使用することによってユーザ機器（Ｕｓｅｒ  Ｅｑｕｉｐｍｅｎｔ、ＵＥ）にデータパケットを別々に送信するようにし、およびデータ送信効率を向上させるようにしてよい。
【０００７】
実際のネットワークにおいて、マクロｅノードＢとマイクロｅノードＢとの間の伝送は、一般に、非理想的なバックホール伝送であり、マクロｅノードＢとマイクロｅノードＢとの間の伝送遅延は、比較的長いため、非理想的なバックホールＨｅｔＮｅｔのＣＡシナリオにおけるＵＥのパフォーマンスが影響される。
【発明の概要】
【発明が解決しようとする課題】
【０００８】
本発明は、パフォーマンスが改善されたＲＬＣデータパケットオフロード方法および基地局を提供する。
【課題を解決するための手段】
【０００９】
本発明の実施形態が、ＲＬＣデータパケットオフロード方法および基地局を提供して、マクロｅノードＢとマイクロｅノードＢとの間の比較的長い伝送遅延のために非理想的なバックホールＨｅｔＮｅｔのＣＡシナリオにおけるＵＥのパフォーマンスが影響されるという問題を解消するようにする。
【００１０】
本発明の第１の態様は、
マクロｅノードＢによって、マイクロｅノードＢによって送信されたＲＬＣデータパケット要求メッセージを受信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延であること、
マクロｅノードＢによってＲＬＣデータパケット要求メッセージに従ってＴ−ｔの持続時間において一次セルを使用することによって、マクロｅノードＢによってＵＥに送信されるべきＲＬＣデータパケットの第２の量を決定することであって、Ｔ−ｔの持続時間の開始時間は、マクロｅノードＢがＲＬＣデータパケット要求メッセージを受信する時点であること、
マクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が第２の量の第１のＲＬＣデータパケットのシリアル番号の後に続く第１のＲＬＣデータパケットから開始して、第１の量のＲＬＣデータパケットをマイクロｅノードＢに割り当てること、ならびに
マクロｅノードＢによって、第１の量のＲＬＣデータパケットをマイクロｅノードＢに送信することを含むＲＬＣデータパケットオフロード方法を提供する。
【００１１】
第１の態様を参照して、第１の態様の第１の可能な実施様態において、方法は、
マクロｅノードＢによって、一次セルを使用することによって、第２の量のＲＬＣデータパケットをＵＥに送信することをさらに含む。
【００１２】
第１の態様の第１の可能な実施様態を参照して、第１の態様の第２の可能な実施様態において、方法は、
マクロｅノードＢによって、一次セルを使用することによって、ＵＥによって送信されたＡＣＫ／ＮＡＣＫ情報を受信することであって、ＡＣＫ／ＮＡＣＫ情報は、第１の量のＲＬＣデータパケットに関するＵＥのフィードバック情報と、第２の量のＲＬＣデータパケットに関するＵＥのフィードバック情報とを含む、ことをさらに含む。
【００１３】
第１の態様の第２の可能な実施様態を参照して、第１の態様の第３の可能な実施様態において、マクロｅノードＢによって、一次セルを使用することによって、ＵＥによって送信されたＡＣＫ／ＮＡＣＫ情報を受信することの後、方法は、
第１の量のＲＬＣデータパケットに関し、およびマクロｅノードＢによって受信されたフィードバック情報が、ＮＡＣＫを含む場合、マクロｅノードＢによって、マイクロｅノードＢによって二次セルを使用することによってＮＡＣＫに対応するＲＬＣデータパケットに対してＨＡＲＱを実行することによって、ＨＡＲＱ（Ｈｙｂｒｉｄ  Ａｕｔｏｍａｔｉｃ  Ｒｅａｐｔ  ｒｅＱｕｅｓｔ：ハイブリッド自動再送要求）複合利得を獲得することができるかどうかを決定すること、および
ＨＡＲＱ複合利得を獲得することができる場合、マクロｅノードＢによって、マイクロｅノードＢにＮＡＣＫを送信すること、およびＲＬＣデータパケットをＵＥにＨＡＲＱ方式で再送するようにマイクロｅノードＢに命令することをさらに含む。
【００１４】
第１の態様の第３の可能な実施様態を参照して、第１の態様の第４の可能な実施様態において、マクロｅノードＢによって、マイクロｅノードＢによって二次セルを使用することによってＮＡＣＫに対応するＲＬＣデータパケットに対してＨＡＲＱを実行することによってＨＡＲＱ複合利得を獲得することができるかどうかを決定することは、特に、
マクロｅノードＢが、二次セルにおいてマイクロｅノードＢによって現在、使用されるＨＡＲＱプロセスの量がＨＡＲＱプロセスの最大量未満であると決定したとき、マクロｅノードＢによって、マイクロｅノードＢによって二次セルを使用することによってＮＡＣＫに対応するＲＬＣデータパケットに対してＨＡＲＱを実行することによってＨＡＲＱ複合利得（ｃｏｍｂｉｎａｔｉｏｎ  ｇａｉｎ）を獲得することができると決定することを含む。
【００１５】
第１の態様の第３の可能な実施様態または第４の可能な実施様態を参照して、第１の態様の第５の可能な実施様態において、方法は、
マクロｅノードＢが、マイクロｅノードＢによって二次セルを使用することによってＮＡＣＫに対応するＲＬＣデータパケットに対してＨＡＲＱを実行することによって、ＨＡＲＱ複合利得を獲得することができないと決定した場合、マクロｅノードＢによって、一次セルを使用することによって、ＮＡＣＫに対応するＲＬＣデータパケットをＵＥにＡＲＱ（Ａｕｔｏｍａｔｉｃ  Ｒｅｐｅａｔ  ｒｅＱｕｅｓｔ：自動再送要求）方式で再送することをさらに含む。
【００１６】
第１の態様の第５の可能な実施様態を参照して、第１の態様の第６の可能な実施様態において、マクロｅノードＢによって、一次セルを使用することによって、ＵＥによって送信されたＡＣＫ／ＮＡＣＫ情報を受信することの前に、方法は、
マクロｅノードＢによって、マイクロｅノードＢによって送信されたＲＬＣパケット組立て結果を受信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを備える、ことをさらに含み、および
一次セルを使用することによってマクロｅノードＢによって、ＮＡＣＫに対応するＲＬＣデータパケットをＵＥにＡＲＱ方式で再送することは、特に、
一次セルを使用することによってＲＬＣパケット組立て結果に従ってマクロｅノードＢによって、ＮＡＣＫに対応するＲＬＣデータパケットをＵＥにＡＲＱ方式で再送することを含む。
【００１７】
第１の態様の第３の可能な実施様態または第４の可能な実施様態を参照して、第１の態様の第７の可能な実施様態において、方法は、
マクロｅノードＢは、マイクロｅノードＢによって二次セルを使用することによってＮＡＣＫに対応するＲＬＣデータパケットに対してＨＡＲＱを実行することによって、ＨＡＲＱ複合利得を獲得することができないと決定した場合、マクロｅノードＢによって、マイクロｅノードＢにＮＡＣＫを送信すること、および二次セルを使用することによって、ＮＡＣＫに対応するＲＬＣデータパケットをＵＥにＡＲＱ方式で再送するようにマイクロｅノードＢに命令することをさらに含む。
【００１８】
本発明の第２の態様は、
マイクロｅノードＢによって、ＲＬＣデータパケット要求メッセージをマクロｅノードＢに送信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である、こと、
マイクロｅノードＢによって、マクロｅノードＢによって送信された第１の量のＲＬＣデータパケットを受信することであって、第１の量のＲＬＣデータパケットを決定するプロセスは、マクロｅノードＢによってＲＬＣデータパケット要求メッセージに従ってＴ−ｔの持続時間において一次セルを使用することによって、マクロｅノードＢによってＵＥに送信されるべきＲＬＣデータパケットの第２の量を決定することであって、Ｔ−ｔの持続時間の開始時間は、マクロｅノードＢがＲＬＣデータパケット要求メッセージを受信する時点であること、ならびにマクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が第２の量の第１のＲＬＣデータパケットのシリアル番号の後に続く第１のＲＬＣデータパケットから開始して、第１の量のＲＬＣデータパケットをマイクロｅノードＢに割り当てることを含む、ことを含むＲＬＣデータパケットオフロード方法を提供する。
【００１９】
第２の態様を参照して、第２の態様の第１の可能な実施様態において、方法は、
マイクロｅノードＢによって、マクロｅノードＢによって送信され、および第１の量のＲＬＣデータパケットの一部分またはすべてに関するＵＥのものであるフィードバック情報を受信することであって、第１の量のＲＬＣデータパケットに関するＵＥのフィードバック情報は、ＵＥによってマクロｅノードＢに送信されたＡＣＫ／ＮＡＣＫ情報に属し、およびＡＣＫ／ＮＡＣＫ情報は、第２の量のＲＬＣデータパケットに関するＵＥのフィードバック情報をさらに含む、ことをさらに含む。
【００２０】
第２の態様の第１の可能な実施様態を参照して、第２の態様の第２の可能な実施様態において、マイクロｅノードＢによって、マクロｅノードＢによって送信され、および第１の量のＲＬＣデータパケットの一部分またはすべてに関するＵＥのものであるフィードバック情報を受信することの前に、方法は、
マイクロｅノードＢによって、マクロｅノードＢにＲＬＣパケット組立て結果を送信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを備える、ことをさらに含む。
【００２１】
本発明の第３の態様が、
マイクロｅノードＢによって送信されたＲＬＣデータパケット要求メッセージを受信するように構成された第１の受信モジュールであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するのにマイクロｅノードＢによって使用され、ＲＬＣデータパケット要求メッセージは、マイクロｅノードＢによって第１の時点でマクロｅノードＢに送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である、第１の受信モジュールと、
ＲＬＣデータパケット要求メッセージに従ってＴ−ｔの持続時間において一次セルを使用することによって、マクロｅノードＢによってＵＥに送信されるべきＲＬＣデータパケットの第２の量を決定するように構成された決定モジュールであって、Ｔ−ｔの持続時間の開始時間は、マクロｅノードＢがＲＬＣデータパケット要求メッセージを受信する時点である、決定モジュールと、
送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が第２の量の第１のＲＬＣデータパケットのシリアル番号の後に続く第１のＲＬＣデータパケットから開始して、第１の量のＲＬＣデータパケットをマイクロｅノードＢに割り当てることを行うように構成された割当てモジュールと、
第１の量のＲＬＣデータパケットをマイクロｅノードＢに送信するように構成された第１の送信モジュールとを含むマクロｅノードＢを提供する。
【００２２】
第３の態様を参照すると、第３の態様の第１の可能な実施様態において、マクロｅノードＢは、第２の送信モジュールをさらに含み、第２の送信モジュールは、
一次セルを使用することによって第２の量のＲＬＣデータパケットをＵＥに送信するように構成される。
【００２３】
第３の態様の第１の可能な実施様態を参照して、第３の態様の第２の可能な実施様態において、マクロｅノードＢは、第２の受信モジュールをさらに含み、および第２の受信モジュールは、
一次セルを使用することによって、ＵＥによって送信されたＡＣＫ／ＮＡＣＫ情報を受信することであって、ＡＣＫ／ＮＡＣＫ情報は、第１の量のＲＬＣデータパケットに関するＵＥのフィードバック情報と、第２の量のＲＬＣデータパケットに関するＵＥのフィードバック情報とを含む、ことを行うように構成される。
【００２４】
第３の態様の第２の可能な実施様態を参照して、第３の態様の第３の可能な実施様態において、マクロｅノードＢは、第２の受信モジュールは、一次セルを使用することによって、ＵＥによって送信されたＡＣＫ／ＮＡＣＫ情報を受信した後、ＡＣＫ／ＮＡＣＫ情報の中にあり、および第１の量のＲＬＣデータパケットに関するフィードバック情報が、ＮＡＣＫを含む場合、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定するように構成された判定モジュールをさらに含み、
第１の送信モジュールは、ＨＡＲＱ複合利得を獲得することができる場合、マイクロｅノードＢにＮＡＣＫを送信すること、およびＲＬＣデータパケットをＵＥにＨＡＲＱ方式で再送するようにマイクロｅノードＢに命令することを行うようにさらに構成される。
【００２５】
第３の態様の第３の可能な実施様態を参照して、第３の態様の第４の可能な実施様態において、判定モジュールは、特に、
二次セルにおいてマイクロｅノードＢによって現在、使用されるＨＡＲＱプロセスの量がＨＡＲＱプロセスの最大量未満であると決定したとき、二次セルを使用することによってマイクロｅノードＢによって、ＮＡＣＫに対応するＲＬＣデータパケットに対してＨＡＲＱを実行することによってＨＡＲＱ複合利得を獲得することができると決定するように構成される。
【００２６】
第３の態様の第３の可能な実施様態または第４の可能な実施様態を参照して、第３の態様の第５の可能な実施様態において、マクロｅノードＢは、
判定モジュールが、二次セルを使用することによってマイクロｅノードＢによって、ＮＡＣＫに対応するＲＬＣデータパケットに対してＨＡＲＱを実行することによって、ＨＡＲＱ複合利得を獲得することができないと決定した場合、一次セルを使用することによって、および第２の送信モジュールを使用することによって、ＮＡＣＫに対応するＲＬＣデータパケットをＵＥにＡＲＱ方式で再送するように構成された再送モジュールをさらに含む。
【００２７】
第３の態様の第５の可能な実施様態を参照して、第３の態様の第６の可能な実施様態において、第１の受信モジュールは、
第２の受信モジュールが、一次セルを使用することによって、ＵＥによって送信されたＡＣＫ／ＮＡＣＫ情報を受信する前に、マイクロｅノードＢによって送信されたＲＬＣパケット組立て結果を受信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを含む、該受信するように特に構成され、
再送モジュールは、特に、ＲＬＣパケット組立て結果に従って、一次セルを使用することによって、および第２の送信モジュールを使用することによって、ＮＡＣＫに対応するＲＬＣデータパケットをＵＥにＡＲＱ方式で再送するように構成される。
【００２８】
第３の態様の第３の可能な実施様態または第４の可能な実施様態を参照して、第３の態様の第７の可能な実施様態において、第１の送信モジュールは、
判定モジュールが、二次セルを使用することによってマイクロｅノードＢによってＮＡＣＫに対応するＲＬＣデータパケットに対してＨＡＲＱを実行することによって、ＨＡＲＱ複合利得を獲得することができないと決定した場合、マイクロｅノードＢにＮＡＣＫを送信すること、および二次セルを使用することによって、ＮＡＣＫに対応するＲＬＣデータパケットをＵＥにＡＲＱ方式で再送するようにマイクロｅノードＢに命令することを行うようにさらに構成される。
【００２９】
本発明の第４の態様は、
ＲＬＣデータパケット要求メッセージをマクロｅノードＢに送信するように構成された第１の送信モジュールであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点で第１の送信モジュールを使用することによってマクロｅノードＢにマイクロｅノードＢによって送信され、第１の時点と第２の時点との間の時間差は、Ｔであり、およびＴは、２ｔ以上であり、第２の時点は、マイクロｅノードＢが、第２の送信モジュールを使用することによって第１の量のＲＬＣデータパケットをＵＥに送信する時点であり、およびｔは、マイクロｅノードＢとマクロｅノードＢとの間の単方向伝送遅延である、第１の送信モジュールと、
マクロｅノードＢによって送信された第１の量のＲＬＣデータパケットを受信するように構成された第１の受信モジュールであって、第１の量のＲＬＣデータパケットを決定するプロセスは、マクロｅノードＢによってＲＬＣデータパケット要求メッセージに従ってＴ−ｔの持続時間において一次セルを使用することによって、マクロｅノードＢによってＵＥに送信されるべきＲＬＣデータパケットの第２の量を決定することであって、Ｔ−ｔの持続時間の開始時間は、マクロｅノードＢがＲＬＣデータパケット要求メッセージを受信する時点である、こと、ならびにマクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が、第２の量の第１のＲＬＣデータパケットのシリアル番号の後に続く第１のＲＬＣデータパケットから開始して、第１の量のＲＬＣデータパケットをマイクロｅノードＢに割り当てることを含む、第１の受信モジュールとを含むマイクロｅノードＢを提供する。
【００３０】
第４の態様を参照して、第４の態様の第１の可能な実施様態において、第１の受信モジュールは、マクロｅノードＢによって送信され、および第１の量のＲＬＣデータパケットの一部分またはすべてに関するＵＥのものであるフィードバック情報を受信することであって、第１の量のＲＬＣデータパケットに関するＵＥのフィードバック情報は、ＵＥによってマクロｅノードＢに送信されたＡＣＫ／ＮＡＣＫ情報に属し、およびＡＣＫ／ＮＡＣＫ情報は、第２の量のＲＬＣデータパケットに関するＵＥのフィードバック情報をさらに含む、該受信するようにさらに構成される。
【００３１】
第４の態様の第１の可能な実施様態を参照して、第４の態様の第２の可能な実施様態において、第１の送信モジュールは、
第１の受信モジュールが、マクロｅノードＢによって送信され、および第１の量のＲＬＣデータパケットの一部分またはすべてに関するＵＥのものであるフィードバック情報を受信する前に、マクロｅノードＢにＲＬＣパケット組立て結果を送信することであって、ＲＬＣパケット組立て結果は、二次セルを使用することによって、および第２の送信モジュールを使用することによってＵＥにマイクロｅノードＢによって伝送されたＲＬＣデータパケットについての情報を示すのに使用され、および、二次セルを使用することによっておよび第２の送信モジュールを使用することによって、ＵＥにマイクロｅノードＢによって伝送されたＲＬＣデータパケットは、第１の量のＲＬＣデータパケットの一部分またはすべてを含む、該送信するようにさらに構成される。
【００３２】
本発明の第５の態様が、メモリと、プロセッサと、インターフェースとを含むマクロｅノードＢを提供し、
メモリは、命令を記憶するように構成され、
インターフェースは、マイクロｅノードＢによって送信されたＲＬＣデータパケット要求メッセージを受信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である、ことを行うように構成され、
プロセッサは、メモリの命令を呼び出して、ＲＬＣデータパケット要求メッセージに従ってＴ−ｔの持続時間において一次セルを使用することによって、マクロｅノードＢによってＵＥに送信されるべきＲＬＣデータパケットの第２の量を決定することであって、Ｔ−ｔの持続時間の開始時間は、マクロｅノードＢがＲＬＣデータパケット要求メッセージを受信する時点であること、ならびに送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が第２の量の第１のＲＬＣデータパケットのシリアル番号の後に続く第１のＲＬＣデータパケットから開始して、第１の量のＲＬＣデータパケットをマイクロｅノードＢに割り当てることを行い、および
プロセッサは、インターフェースを使用することによって第１の量のＲＬＣデータパケットをマイクロｅノードＢに送信するようにさらに構成される。
【００３３】
第５の態様を参照して、第５の態様の第１の可能な実施様態において、マクロｅノードＢは、トランシーバを含み、およびプロセッサは、
一次セルを使用することによって、およびトランシーバを使用することによって第２の量のＲＬＣデータパケットをＵＥに送信するようにさらに構成される。
【００３４】
第５の態様の第１の可能な実施様態を参照して、第５の態様の第２の可能な実施様態において、トランシーバは、
一次セルを使用することによって、ＵＥによって送信されたＡＣＫ／ＮＡＣＫ情報を受信することであって、ＡＣＫ／ＮＡＣＫ情報は、第１の量のＲＬＣデータパケットに関するＵＥのフィードバック情報と、第２の量のＲＬＣデータパケットに関するＵＥのフィードバック情報とを含む、該受信するようにさらに構成される。
【００３５】
第５の態様の第２の可能な実施様態を参照して、第５の態様の第３の可能な実施様態において、プロセッサは、
トランシーバが、一次セルを使用することによって、ＵＥによって送信されたＡＣＫ／ＮＡＣＫ情報を受信した後、ＡＣＫ／ＮＡＣＫ情報の中にあり、および第１の量のＲＬＣデータパケットに関するフィードバック情報が、ＮＡＣＫを含む場合、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定すること、およびＨＡＲＱ複合利得を獲得することができる場合、インターフェースを使用することによってマイクロｅノードＢにＮＡＣＫを送信すること、およびＲＬＣデータパケットをＵＥにＨＡＲＱ方式で再送するようにマイクロｅノードＢに命令することを行うようにさらに構成される。
【００３６】
第５の態様の第３の可能な実施様態を参照して、第５の態様の第４の可能な実施様態において、プロセッサが、二次セルを使用することによってマイクロｅノードＢによって、ＮＡＣＫに対応するＲＬＣデータパケットに対してＨＡＲＱを実行することによってＨＡＲＱ複合利得を獲得することができるかどうかを決定するようにさらに構成されることは、特に、
二次セルにおいてマイクロｅノードＢによって現在、使用されるＨＡＲＱプロセスの量がＨＡＲＱプロセスの最大量未満であると決定されたとき、二次セルを使用することによってマイクロｅノードＢによって、ＮＡＣＫに対応するＲＬＣデータパケットに対してＨＡＲＱを実行することによってＨＡＲＱ複合利得を獲得することができると決定することである。
【００３７】
第５の態様の第３の可能な実施様態または第４の可能な実施様態を参照して、第５の態様の第５の可能な実施様態において、プロセッサは、
二次セルを使用することによってマイクロｅノードＢによって、ＮＡＣＫに対応するＲＬＣデータパケットに対してＨＡＲＱを実行することによってＨＡＲＱ複合利得を獲得することができないと決定した場合、一次セルを使用することによって、およびトランシーバを使用することによって、ＮＡＣＫに対応するＲＬＣデータパケットをＵＥにＡＲＱ方式で再送するようにさらに構成される。
【００３８】
第５の態様の第５の可能な実施様態を参照して、第５の態様の第６の可能な実施様態において、インターフェースは、トランシーバが、一次セルを使用することによって、ＵＥによって送信されたＡＣＫ／ＮＡＣＫ情報を受信する前に、マイクロｅノードＢによって送信されたＲＬＣパケット組立て結果を受信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを含む、該受信するようにさらに構成され、および
プロセッサが、一次セルを使用することによって、およびトランシーバを使用することによって、ＮＡＣＫに対応するＲＬＣデータパケットをＵＥにＡＲＱ方式で再送するようにさらに構成されることは、特に、一次セルを使用することによっておよびトランシーバを使用することによって、ＲＬＣパケット組立て結果に従って、ＮＡＣＫに対応するＲＬＣデータパケットをＵＥにＡＲＱ方式で再送することである。
【００３９】
第５の態様の第３の可能な実施様態または第４の可能な実施様態を参照して、第５の態様の第７の可能な実施様態において、プロセッサは、
二次セルを使用することによってマイクロｅノードＢによって、ＮＡＣＫに対応するＲＬＣデータパケットに対してＨＡＲＱを実行することによって、ＨＡＲＱ複合利得を獲得することができないと決定された場合、インターフェースを使用することによって、マイクロｅノードＢにＮＡＣＫを送信すること、および二次セルを使用することによって、ＮＡＣＫに対応するＲＬＣデータパケットをＵＥにＡＲＱ方式で再送するようにマイクロｅノードＢに命令することを行うようにさらに構成される。
【００４０】
本発明の第６の態様が、メモリと、プロセッサと、インターフェースと、トランシーバとを含むマイクロｅノードＢを提供し、
メモリは、命令を記憶するように構成され、
プロセッサは、メモリに記憶された命令を呼び出して、インターフェースを使用することによって、ＲＬＣデータパケット要求メッセージをマクロｅノードＢに送信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でインターフェースを使用することによってマクロｅノードＢにプロセッサによって送信され、第１の時点と第２の時点との間の時間差は、Ｔであり、およびＴは、２ｔ以上であり、第２の時点は、プロセッサがトランシーバを使用することによって第１の量のＲＬＣデータパケットをＵＥに送信する時点であり、およびｔは、マイクロｅノードＢとマクロｅノードＢとの間の単方向伝送遅延である、ことを行い、および
インターフェースは、マクロｅノードＢによって送信された第１の量のＲＬＣデータパケットを受信することであって、第１の量のＲＬＣデータパケットを決定するプロセスは、マクロｅノードＢによってＲＬＣデータパケット要求メッセージに従ってＴ−ｔの持続時間において一次セルを使用することによって、マクロｅノードＢによってＵＥに送信されるべきＲＬＣデータパケットの第２の量を決定することであって、Ｔ−ｔの持続時間の開始時間は、マクロｅノードＢがＲＬＣデータパケット要求メッセージを受信する時点である、こと、ならびにマクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が、第２の量の第１のＲＬＣデータパケットのシリアル番号の後に続く第１のＲＬＣデータパケットから開始して、第１の量のＲＬＣデータパケットをマイクロｅノードＢに割り当てることを含む、ことを行うように構成される。
【００４１】
第６の態様を参照して、第６の態様の第１の可能な実施様態において、インターフェースは、
マクロｅノードＢによって送信され、および第１の量のＲＬＣデータパケットの一部分またはすべてに関するＵＥのものであるフィードバック情報を受信することであって、第１の量のＲＬＣデータパケットに関するＵＥのフィードバック情報は、ＵＥによってマクロｅノードＢに送信されたＡＣＫ／ＮＡＣＫ情報に属し、およびＡＣＫ／ＮＡＣＫ情報は、第２の量のＲＬＣデータパケットに関するＵＥのフィードバック情報をさらに含む、該受信するようにさらに構成される。
【００４２】
第６の態様の第１の可能な実施様態を参照して、第６の態様の第２の可能な実施様態において、プロセッサは、
インターフェースが、マクロｅノードＢによって送信され、および第１の量のＲＬＣデータパケットの一部分またはすべてに関するＵＥのものであるフィードバック情報を受信する前に、インターフェースを使用することによってマクロｅノードＢにＲＬＣパケット組立て結果を送信することであって、ＲＬＣパケット組立て結果は、プロセッサによって、二次セルを使用することによって、およびトランシーバを使用することによってＵＥに伝送されたＲＬＣデータパケットについての情報を示すのに使用され、およびプロセッサによって、二次セルを使用することによって、およびトランシーバを使用することによってＵＥに伝送されたＲＬＣデータパケットは、第１の量のＲＬＣデータパケットの一部分またはすべてを備える、ことを行うようにさらに構成される。
【００４３】
本発明の実施形態において、マイクロｅノードＢが、要求されるＲＬＣデータパケットを、ＲＬＣデータパケットがＵＥに送信される時点の前の第１の時点で要求してよく、このようにして、マクロｅノードＢが、マイクロｅノードＢに前もって、マイクロｅノードＢによって要求されるＲＬＣデータパケットを送信することができ、したがって、マクロｅノードＢとマイクロｅノードＢとの間の伝送遅延が可能な限り低減され、および非理想的なバックホールＨｅｔＮｅｔのＣＡシナリオにおけるＵＥの受信パフォーマンスが向上させられる。
【００４４】
さらに、本発明の実施形態において、マクロｅノードＢが、ｔの持続時間を使用して、マイクロｅノードＢのＲＬＣデータパケット要求メッセージを受信し、現在の時点から第２の時点までの持続時間においてマクロｅノードＢによって送信されることができる第２の量のＲＬＣデータパケットを決定し、マクロｅノードＢに、シリアル番号が先に来る第２の量の第１のＲＬＣデータパケットを割り当て、およびマイクロｅノードＢに、シリアル番号が第２の量のＲＬＣデータパケットのシリアル番号の後に続く第１の量のＲＬＣデータパケットを割り当て、および次に、マクロｅノードＢが、第２の量のＲＬＣデータパケットをＵＥに送信することを開始する。第２の量のＲＬＣデータパケットを送信するのにマクロｅノードＢによって要求される持続時間は、現在の時点から第２の時点までの持続時間であるため、マクロｅノードＢが、第２の量のデータパケットの送信を完了したとき、マイクロｅノードＢは、第１の量のＲＬＣデータパケットを正確に受信して、送信することを開始し、およびこれらのＲＬＣデータパケットのシリアル番号は、順番になっており、このことが、ＲＬＣデータパケットが連続（ｓｅｑｕｅｎｃｅ）して送信されることを確実にし、順序が乱れたＲＬＣデータパケットの受信のためにＵＥがＲＬＣデータパケットを復号できないことを回避し、およびＵＥの受信パフォーマンスをさらに向上させる。
【図面の簡単な説明】
【００４５】
【図１】従来技術におけるＡＭにおいてＲＬＣデータパケットを伝送することを示す概略図である。
【図２】本発明の実施形態によるマクロｅノードＢ上のＲＬＣデータパケットオフロード方法を示す主要フローチャートである。
【図３】本発明の実施形態によるマイクロｅノードＢ上のＲＬＣデータパケットオフロード方法を示す主要フローチャートである。
【図４Ａ】本発明の実施形態によるマクロｅノードＢを示す主要構造ブロック図である。
【図４Ｂ】本発明の実施形態によるマクロｅノードＢを示す詳細な構造ブロック図である。
【図５Ａ】本発明の実施形態によるマイクロｅノードＢを示す主要構造ブロック図である。
【図５Ｂ】本発明の実施形態によるマイクロｅノードＢを示す詳細な構造ブロック図である。
【図６Ａ】本発明の実施形態によるマクロｅノードＢを示す主要概略構造図である。
【図６Ｂ】本発明の実施形態によるマクロｅノードＢを示す詳細な概略構造図である。
【図７】本発明の実施形態によるマイクロｅノードＢを示す概略構造図である。
【発明を実施するための形態】
【００４６】
本発明の実施形態の目的、技術的ソリューション、および利点をより明確にするのに、以下が、本発明の実施形態における添付の図面を参照して本発明の実施形態における技術的ソリューションを明確に説明する。明らかに、説明される実施形態は、本発明の実施形態のすべてではなく、一部分である。独創的な取組みなしに本発明の実施形態に基づいて当業者によって獲得される他のすべての実施形態は、本発明の保護範囲内に入るべきである。
【００４７】
本明細書において説明される技術は、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ＬＴＥシステム、およびＬＴＥの後続の発展型システムに適用されてよい。
【００４８】
第１の基地局が、第２の基地局によって送信されたＲＬＣデータパケット要求メッセージを受信し、ＲＬＣデータパケット要求メッセージは、二次セルを使用することによってＣＡ  ＵＥに第２の基地局によって送信されるべきＲＬＣデータパケットの第１の量を第１の基地局から要求するために第２の基地局によって使用され、ＲＬＣデータパケット要求メッセージは、第１の時点で第１の基地局に第２の基地局によって送信され、第１の時点と第２の時点との間の時間差は、２ｔ以上であり、第２の時点は、第２の基地局が第１の量のＲＬＣデータパケットをＵＥに送信する時点であり、およびｔは、第２の基地局と第１の基地局との間の単方向伝送遅延である。
【００４９】
第１の基地局がＲＬＣデータパケット要求メッセージに従って一次セルを使用することによって、第１の基地局によって、ＵＥに送信されるべきＲＬＣデータパケットの第２の量を決定する。
【００５０】
第１の基地局は、送信されるべきＲＬＣデータパケットのシリアル番号の昇順で、送信されるべきＲＬＣデータパケットにおける第２の量の第１のＲＬＣデータパケットを第１の基地局に割り当て、およびシリアル番号が第２の量の第１のＲＬＣデータパケットのシリアル番号の後に続く第１のＲＬＣデータパケットから開始して、第１の量のＲＬＣデータパケットを第２の基地局に割り当てる。
【００５１】
第１の基地局は、第１の量のＲＬＣデータパケットを第２の基地局に送信する。
【００５２】
第２の基地局が、ＲＬＣデータパケット要求メッセージを第１の基地局に送信し、ＲＬＣデータパケット要求メッセージは、二次セルを使用することによってＣＡ  ＵＥに第２の基地局によって送信されるべきＲＬＣデータパケットの第１の量を第１の基地局から要求するために第２の基地局によって使用され、ＲＬＣデータパケット要求メッセージは、第１の時点で第１の基地局に第２の基地局によって送信され、第１の時点と第２の時点との間の時間差は、２ｔ以上であり、第２の時点は、第２の基地局が第１の量のＲＬＣデータパケットをＵＥに送信する時点であり、およびｔは、第２の基地局と第１の基地局との間の単方向伝送遅延である。
【００５３】
第２の基地局が、第１の基地局によって送信された第１の量のＲＬＣデータパケットを受信し、第１の量のＲＬＣデータパケットを決定するプロセスは、第１の基地局によってＲＬＣデータパケット要求メッセージに従って一次セルを使用することによって、第１の基地局によって、ＵＥに送信されるべきＲＬＣデータパケットの第２の量を決定すること、ならびに第１の基地局によって、送信されるべきＲＬＣデータパケットのシリアル番号の昇順で、送信されるべきＲＬＣデータパケットにおける第２の量の第１のＲＬＣデータパケットを第１の基地局に割り当てること、およびシリアル番号が第２の量の第１のＲＬＣデータパケットのシリアル番号の後に続く第１のＲＬＣデータパケットから開始して、第１の量のＲＬＣデータパケットを第２の基地局に割り当てることを含む。
【００５４】
本発明の実施形態において、受信端がＵＥである例が使用される。
【００５５】
一次セルは、一次周波数帯域で動作するセルである。ＵＥが、一次セルを使用することによってマクロｅノードＢに対して無線リソース制御（Ｒａｄｉｏ  Ｒｅｓｏｕｒｃｅ  Ｃｏｎｔｒｏｌ、ＲＲＣ）接続を確立する。
【００５６】
二次セルは、二次周波数帯域で動作するセルである。ＣＡの能力を有するＵＥが、マクロｅノードＢに対してＲＲＣ接続を確立し、したがって、二次セルは、ＵＥのために追加の無線リソースを提供するように構成されてよい。
【００５７】
本発明の実施形態において、第１の基地局および第２の基地局を有するネットワーキングシナリオが、説明のために使用される。第１の基地局は、マクロｅノードＢであってよく、またはマイクロｅノードＢであってよく、同様に、第２の基地局も、マクロｅノードＢであってよく、またはマイクロｅノードＢであってよい。第１の基地局および第２の基地局の種類は、本発明の実施形態において限定されない。例えば、第１の基地局と第２の基地局が両方、マクロｅノードＢであってよく、第１の基地局と第２の基地局が両方、マイクロｅノードＢであってよく、第１の基地局がマクロｅノードＢであり、および第２の基地局がマイクロｅノードＢであり、または第１の基地局がマイクロｅノードＢであり、および第２の基地局がマクロｅノードＢである。以下の概説において、第１の基地局がマクロｅノードＢであり、および第２の基地局がマイクロｅノードＢである例が使用される。
【００５８】
説明の容易のため、ＨｅｔＮｅｔがマクロｅノードＢおよびマイクロｅノードＢを使用することによってネットワーク化されるシナリオが、本発明の実施形態を説明するのに使用されることに留意されたい。いくつかのアプリケーションシナリオにおいて、本発明の実施形態において概説されるマクロｅノードＢは、マイクロｅノードＢで置き換えられてよく、同様に、いくつかのアプリケーションシナリオにおいて、本発明の実施形態において概説されるマイクロｅノードＢは、マクロｅノードＢで置き換えられてよい。すなわち、本発明の実施形態における技術的ソリューションは、ネットワーキングがマクロｅノードＢとの間で実施されるシナリオ、およびネットワーキングがマイクロｅノードＢとの間で実施されるシナリオにも適用可能である。
【００５９】
さらに、「システム」および「ネットワーク」という用語は、本明細書において互換的に使用されてよい。本明細書における「および／または」という用語は、関連付けられたオブジェクトを説明するための関連付け関係だけを説明し、３つの関係が存在してよいことを表す。例えば、Ａおよび／またはＢは、以下の３つの事例、Ａだけが存在する、ＡとＢ両方が存在する、およびＢだけが存在するを表してよい。さらに、別段、明記されない限り、本明細書における「／」という文字は、一般に、関連付けられたオブジェクトとの間の「または」関係を示す。
【００６０】
以下は、本明細書に関する添付の図面を参照して本発明の実施形態を詳細にさらに説明する。
【００６１】
図２を参照すると、本発明の実施形態が、ＲＬＣデータパケットオフロード方法を提供する。方法の主要手順が、以下のとおり説明される：
【００６２】
ステップ２０１  マクロｅノードＢが、マイクロｅノードＢによって送信されたＲＬＣデータパケット要求メッセージを受信する。
【００６３】
ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である。
【００６４】
任意選択で、単方向伝送遅延は、タイムスタンプを有するデータパケットの受信および伝送を測定することによって得られてよい。単方向伝送遅延を得るための別の方法も、本発明の実施形態の保護範囲に入る。
【００６５】
任意選択で、マイクロｅノードＢが、マイクロｅノードＢとＣＡ  ＵＥとの間の無線チャネル品質、マイクロｅノードＢの二次セルのセル負荷、および二次セルにおけるＣＡ  ＵＥのスペクトル効率のうちのいずれか１つ、または組合せに従って、マイクロｅノードＢによって第２の時点でＣＡ  ＵＥに送信されるべきＲＬＣデータパケットの第１の品質を決定する。マイクロｅノードＢは、マクロｅノードＢから第１の量のＲＬＣデータパケットを要求するためにマイクロｅノードＢによって使用されるＲＬＣデータパケット要求メッセージ、を使用することによって、マクロｅノードＢに第１の量を送信する。
【００６６】
任意選択で、マイクロｅノードＢは、マクロｅノードＢから第１の量のＲＬＣデータパケットを要求するのにマイクロｅノードＢによって使用されるＲＬＣデータパケット要求メッセージ、を使用することによって、マクロｅノードＢに、マイクロｅノードＢとＣＡ  ＵＥとの間の無線チャネル品質、マイクロｅノードＢの二次セルのセル負荷、および二次セルにおけるＣＡ  ＵＥのスペクトル効率を送信する。マクロｅノードＢは、マイクロｅノードＢとＣＡ  ＵＥとの間の受信された無線チャネル品質、マイクロｅノードＢの二次セルのセル負荷、および二次セルにおけるＣＡ  ＵＥのスペクトル効率のうちのいずれか１つ、または組合せに従って、第２の時点でＣＡ  ＵＥにマイクロｅノードＢによって送信することができるＲＬＣデータパケットの第１の量を決定する。さらに、マクロｅノードＢは、マクロｅノードＢとＣＡ  ＵＥとの間の無線チャネル品質、マクロｅノードＢの一次セルのセル負荷、および一次セルにおけるＣＡ  ＵＥのスペクトル効率のうちのいずれか１つ、または組合せをさらに包括的に考慮して、マイクロｅノードＢによって第２の時点でＣＡ  ＵＥに送信されることができるＲＬＣデータパケットの第１の量が決定されるようにしてよい。
【００６７】
無線チャネル品質は、チャネル品質指標（Ｃｈａｎｎｅｌ  Ｑｕａｌｉｔｙ  Ｉｎｄｉｃａｔｏｒ、ＣＱＩ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、または参照信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）であってよい。
【００６８】
スケジューリング遅延、またはスケジュールされるべきデータパケットのサイズなどの、ＵＥに送信されるべきＲＬＣデータパケットの量を決定するのに基地局によって使用される別のパラメータも、本発明の実施形態の保護範囲に入る。
【００６９】
本発明のこの実施形態において、ＣＡの能力を有するＵＥが、ＣＡ  ＵＥとして参照される。
【００７０】
任意選択で、ステップ２０１の前に、方法は、以下をさらに含む：
【００７１】
ＣＡの能力を有するＵＥが、マクロｅノードＢに優先的にキャンプオン（ｃａｍｐ  ｏｎ）することが可能にされる、すなわち、ＣＡの能力を有するＵＥは、マクロｅノードＢのセルを、ＣＡの能力を有するＵＥの一次セルとして使用することが可能にされる。
【００７２】
ＵＥが、マクロｅノードＢに優先的にキャンプオンすることが可能にされた後、ＵＥが、一次セルにおける基地局（すなわち、マクロｅノードＢ）に対してサービスベアラ確立を開始したとき、マクロｅノードＢは、ＡＭにあり、およびマクロｅノードＢとＵＥとの間にあるＲＬＣデータサービス論理チャネルを確立し、および、マクロｅノードＢは、ＡＭにあり、およびマイクロｅノードＢとＵＥとの間にあるＲＬＣデータサービス論理チャネルを確立する。マイクロｅノードＢのセルは、ＵＥの二次セルである。
【００７３】
特に、ＣＡの能力を有するＵＥが、マクロｅノードＢに優先的にキャンプオンすることを可能にすること、およびマクロｅノードＢによって、ＲＬＣデータサービス論理チャネルを別個に確立することは、従来技術におけるプロセスであり、特定の実施様態に関して、本発明によって限定されない、従来技術の参照が行われてよい。
【００７４】
本発明のこの実施形態において、マイクロｅノードＢは、ＲＬＣデータパケットをＵＥにいつ送信すべきかを知り、およびＲＬＣデータパケットがＵＥに送信されることを開始される前の第１の時点で、マイクロｅノードＢは、ＲＬＣデータパケット要求メッセージをマクロｅノードＢに先に送信してよく、ＲＬＣデータパケット要求メッセージは、ＲＬＣデータパケットをマイクロｅノードＢに送信するようにマクロｅノードＢに要求するのに使用される。本発明のこの実施形態において、マイクロｅノードＢによって要求されるＲＬＣデータパケットの量は、第１の量として参照される。
【００７５】
本発明のこの実施形態において、第１の時点と第２の時点との間の時間差Ｔは、２ｔより大きい、または２ｔと等しい。好ましくは、第１の時点と第２の時点との間の時間差Ｔは、２ｔと等しい。
【００７６】
ステップ２０２  マクロｅノードＢがＲＬＣデータパケット要求メッセージに従ってＴ−ｔの持続時間において一次セルを使用することによって、マクロｅノードＢによって、ＵＥに送信されるべきＲＬＣデータパケットの第２の量を決定する。
【００７７】
ＲＬＣデータパケット要求メッセージを受信した後、マクロｅノードＢは、Ｔ−ｔの持続時間において一次セルを使用することによって、マクロｅノードＢによって、ＣＡ  ＵＥに送信されるべきＲＬＣデータパケットの第２の量を決定し、Ｔ−ｔの持続時間の開始時間は、マクロｅノードＢがＲＬＣデータパケット要求メッセージを受信する時点である。
【００７８】
マクロｅノードＢは、マクロｅノードＢとＣＡ  ＵＥとの間の無線チャネル品質、マクロｅノードＢの一次セルのセル負荷、および一次セルにおけるＣＡ  ＵＥのスペクトル効率のうちのいずれか１つ、または組合せに従って、マクロｅノードＢによって前述の持続時間において伝送されることができるＲＬＣデータパケットを決定する、すなわち、マクロｅノードＢは、一次セルを使用することによって、マクロｅノードＢによって、ＣＡ  ＵＥに送信されるべきＲＬＣデータパケットの第２の量を決定する。
【００７９】
第１の時点と第２の時点との間の時間差が２ｔと等しい場合、マクロｅノードＢがＲＬＣデータパケット要求メッセージを受信する時点と第２の時点との間の時間差は、ｔである。
【００８０】
ＲＬＣデータパケット要求メッセージを受信した後、マクロｅノードＢは、現在の時点から第２の時点までの持続時間においてマクロｅノードＢによっていくつのＲＬＣデータパケットが伝送されることができるか、および現在の時点から第２の時点までの持続時間においていくつのシリアル番号（Ｓｅｒｉａｌ  Ｎｕｍｂｅｒ、ＳＮ）リソースが消費される必要があるかを決定し、例えば、本発明のこの実施形態において、持続時間においてマクロｅノードＢによって伝送されることができるＲＬＣデータパケットの量は、第２の量として参照される。各ＲＬＣデータパケットは、シリアル番号を有してよく、およびマクロｅノードＢとマイクロｅノードＢ両方が、ＲＬＣデータパケットのシリアル番号に従ってＲＬＣデータパケットを連続して送信する。各ＲＬＣデータパケットに関するシリアル番号を追加するのに消費されるリソースが、ＳＮリソースである。
【００８１】
例えば、第１の時点と第２の時点との間の時間差が２ｔと等しい場合、マクロｅノードＢは、ｔの将来の持続時間においてマクロｅノードＢによって伝送されることができるＲＬＣデータパケットの量、および消費されるＳＮリソースを決定する必要があり、すなわち、第２の量は、ｔの将来の持続時間においてマクロｅノードＢによって伝送されることができるＲＬＣデータパケットの量である。本明細書において説明されるｔの将来の持続時間の開始時間が、マクロｅノードＢがＲＬＣデータパケット要求メッセージを受信する時点である。
【００８２】
ステップ２０３  マクロｅノードＢが、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が、第２の量の第１のＲＬＣデータパケットのシリアル番号の後に続く第１のＲＬＣデータパケットから開始して、第１の量のＲＬＣデータパケットをマイクロｅノードＢに割り当てることを行う。
【００８３】
例えば、マクロｅノードＢが、第２の量が５０であると決定し、すなわち、マクロｅノードＢは、現在の時点から第２の時点までの持続時間において５０のＲＬＣデータパケットを送信することになり、およびマイクロｅノードＢによって要求されるＲＬＣデータパケットの量が３０であると決定する。次に、マクロｅノードＢは、送信されるべきＲＬＣデータパケットのシリアル番号の昇順で、および第１の送信されるべきＲＬＣデータパケットから開始して、第１の５０のＲＬＣデータパケットをマクロｅノードＢに割り当て、および、第５１のデータパケットから開始して、３０のＲＬＣデータパケットをマイクロｅノードＢに割り当てる。
【００８４】
ステップ２０４  マクロｅノードＢが、第１の量のＲＬＣデータパケットをマイクロｅノードＢに送信する。
【００８５】
すなわち、第１の量のＲＬＣデータパケットをマイクロｅノードＢに割り当てた後、マクロｅノードＢは、第１の量のＲＬＣデータパケットをマイクロｅノードＢに送信する。マイクロｅノードＢが、第１の量のＲＬＣデータパケットを受信したとき、第２の時点が到来した場合、マイクロｅノードＢは、ＲＬＣデータパケットのシリアル番号に従って、第１の量のＲＬＣデータパケットをＵＥに連続して送信することを直接に開始してよい。
【００８６】
好ましくは、第１の時点と第２の時点との間の時間差が２ｔと等しい場合、マイクロｅノードＢが第１の量のＲＬＣデータパケットを受信する時点は、正確に第２の時点であってよく、およびマイクロｅノードＢは、ＲＬＣデータパケットを受信すると、ＲＬＣデータパケットを即時に送信してよく、したがって、マイクロｅノードＢがＲＬＣデータパケットを一時的に記憶する必要があるステップが省略され、および記憶リソースが節約される。
【００８７】
任意選択で、本発明のこの実施形態において、方法は、
マクロｅノードＢによって、一次セルを使用することによって、第２の量のＲＬＣデータパケットをＵＥに送信することをさらに含む。
【００８８】
すなわち、マクロｅノードＢに割り当てられるべき第２の量のＲＬＣデータパケットを決定した後、マクロｅノードＢは、第２の量のＲＬＣデータパケットをＵＥに直接に送信してよい。
【００８９】
例えば、第１の時点と第２の時点との間の時間差は、２ｔと等しい。マクロｅノードＢが、第２の量が５０であると決定し、すなわち、マクロｅノードＢは、現在の時点から第２の時点までの持続時間において５０のＲＬＣデータパケットを送信することになり、およびマイクロｅノードＢによって要求されるＲＬＣデータパケットの量が３０であると決定する。次に、マクロｅノードＢは、送信されるべきＲＬＣデータパケットのシリアル番号の昇順で、および第１の送信されるべきＲＬＣデータパケットから開始して、第１の５０のＲＬＣデータパケットをマクロｅノードＢに割り当て、および、第５１のデータパケットから開始して、３０のＲＬＣデータパケットをマイクロｅノードＢに割り当てる。
【００９０】
第１の５０のＲＬＣデータパケットをマクロｅノードＢに割り当てた後、マクロｅノードＢは、ＲＬＣデータパケットのシリアル番号に従って、第１の５０のＲＬＣデータパケットをＵＥに連続して直接に送信してよい。第５０のＲＬＣデータパケットがマクロｅノードＢによって送信されたとき、マイクロｅノードＢは、後続の３０のＲＬＣデータパケットを正確に受信し、および第２の時点が正確に到来し、マクロｅノードＢは、ＲＬＣデータパケットのシリアル番号に従って、第５１のＲＬＣデータパケットをＵＥに連続して送信することを開始する。したがって、ＲＬＣデータパケットは、ＵＥによって連続して受信され、このことは、ＵＥによる復号が、受信されたＲＬＣデータパケットが順序が狂っている事例の発生のために影響されることを回避し、およびＵＥの受信パフォーマンスを向上させる。さらに、送信プロセスにおける遅延は、比較的短く、このことは、送信効率を向上させる。
【００９１】
本発明のこの実施形態において、マクロｅノードＢが、ｔの持続時間を使用して、マイクロｅノードＢのＲＬＣデータパケット要求メッセージを受信し、現在の時点から第２の時点までの持続時間においてマクロｅノードＢによって送信されることができる第２の量のＲＬＣデータパケットを決定し、マクロｅノードＢに、シリアル番号が先に来る第２の量の第１のＲＬＣデータパケットを割り当て、およびマイクロｅノードＢに、シリアル番号が第２の量のＲＬＣデータパケットのシリアル番号の後に続く第１の量のＲＬＣデータパケットを割り当て、および次に、マクロｅノードＢが、第２の量のＲＬＣデータパケットをＵＥに送信することを開始する。第２の量のＲＬＣデータパケットを送信するのにマクロｅノードＢによって要求される持続時間は、現在の時点から第２の時点までの持続時間であるため、マクロｅノードＢが、第２の量のデータパケットの送信を完了したとき、マイクロｅノードＢは、第１の量のＲＬＣデータパケットを正確に受信して、送信することを開始し、およびこれらのＲＬＣデータパケットのシリアル番号は、順番になっており、このことが、ＲＬＣデータパケットが連続して送信されることを確実にし、順序が乱れたＲＬＣデータパケットの受信のためにＵＥがＲＬＣデータパケットを復号できないことを回避し、およびＵＥの受信パフォーマンスをさらに向上させる。
【００９２】
本発明のこの実施形態において、受信端がＵＥである例が使用され、ＲＬＣデータパケットをＵＥに送信しようと試行しているとき、マクロｅノードＢとマイクロｅノードＢ両方が、ＲＬＣデータパケットを無線インターフェースに送信することができ、およびＵＥが、無線インターフェースを使用することによってＲＬＣデータパケットを受信する。
【００９３】
ＲＬＣデータパケットを受信した後、ＵＥは、受信されたＲＬＣデータパケットの正しさに従って、肯定応答（Ａｃｋｎｏｗｌｅｄｇｅｍｅｎｔ、ＡＣＫ）／否定応答（Ｎｅｇａｔｉｖｅ  Ａｃｋｎｏｗｌｅｄｇｅｍｅｎｔ、ＮＡＣＫ）情報をマクロｅノードＢにフィードバックする必要がある。
【００９４】
任意選択で、本発明のこの実施形態において、方法は、
マクロｅノードＢによって一次セルを使用することによって、ＵＥによって送信されたＡＣＫ／ＮＡＣＫ情報を受信することであって、ＡＣＫ／ＮＡＣＫ情報は、第１の量のＲＬＣデータパケットに関するＵＥのフィードバック情報と、第２の量のＲＬＣデータパケットに関するＵＥのフィードバック情報とを含む、ことをさらに含む。
【００９５】
任意選択で、本発明のこの実施形態において、マクロｅノードＢによって、一次セルを使用することによって、ＵＥによって送信されたＡＣＫ／ＮＡＣＫ情報を受信することの前に、方法は、
マクロｅノードＢによって、マイクロｅノードＢによって送信されたＲＬＣパケット組立て結果を受信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを含むことをさらに備える。
【００９６】
マクロｅノードＢによってマイクロｅノードＢに割り当てられた第１の量のＲＬＣデータパケットに関して、マイクロｅノードＢは、ＵＥに、マクロｅノードＢによってマイクロｅノードＢに割り当てられた第１の量のすべてのＲＬＣデータパケットを伝送してよいが、ＵＥに、マクロｅノードＢによってマイクロｅノードＢに割り当てられた第１の量のＲＬＣデータパケットの一部分だけを伝送してよい。例えば、マクロｅノードＢが、合計で３つのＲＬＣデータパケット、例えば、ＲＬＣデータパケット１、ＲＬＣデータパケット２、およびＲＬＣデータパケット３をそれぞれ、マイクロｅノードＢに割り当てる。マイクロｅノードＢは、ＵＥに３つすべてのＲＬＣデータパケットを伝送してよく、およびＲＬＣパケット組立て結果は、３つのＲＬＣデータパケットについての情報を示すのに使用され、またはマイクロｅノードＢは、３つのＲＬＣデータパケットのうちのＲＬＣデータパケット１およびＲＬＣデータパケット２だけをＵＥに伝送してよく、およびＲＬＣパケット組立て結果は、ＲＬＣデータパケット１およびＲＬＣデータパケット２についての情報を示すのに使用され、またはマイクロｅノードＢは、ＲＬＣデータパケット１、およびＲＬＣデータパケット２の一部分だけをＵＥに伝送してよく、およびＲＬＣパケット組立て結果は、ＲＬＣデータパケット１、およびＲＬＣデータパケット２の中にあり、およびＵＥに伝送されるデータの部分についての情報を示すのに使用される。
【００９７】
すなわち、マクロｅノードＢは、いずれのＲＬＣデータパケットがマイクロｅノードＢに割り当てられているかを知るものの、マイクロｅノードＢによってＵＥに伝送された特定のＲＬＣデータパケットに関して、マクロｅノードＢは、マイクロｅノードＢによって、ＲＬＣパケット組立て結果を使用することによって通知される必要がある。
【００９８】
例えば、割り当てられたＲＬＣデータパケットを受信端に送信する（受信端がＵＥである場合、割り当てられたＲＬＣデータパケットを無線インターフェースに送信する）とき、マイクロｅノードＢは、ＲＬＣパケット組立て結果をマクロｅノードＢに送信してよい。このようにして、マクロｅノードＢは、マイクロｅノードＢによっていずれのＲＬＣデータパケットがＵＥに伝送されたかを知ってよい。
【００９９】
任意選択で、本発明のこの実施形態において、マクロｅノードＢによって、一次セルを使用することによって、ＵＥによって送信されたＡＣＫ／ＮＡＣＫ情報を受信することの後に、方法は、
第１の量のＲＬＣデータパケットに関し、およびマクロｅノードＢによって受信されたフィードバック情報が、ＮＡＣＫを含む場合、マクロｅノードＢによって、マイクロｅノードＢによって二次セルを使用することによってＮＡＣＫに対応するＲＬＣデータパケットに対してハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）を実行することによって、ＨＡＲＱ複合利得を獲得することができるかどうかを決定すること、および
ＨＡＲＱ複合利得を獲得することができる場合、マクロｅノードＢによって、マイクロｅノードＢにＮＡＣＫを送信すること、およびＲＬＣデータパケットをＵＥにＨＡＲＱ方式で再送するようにマイクロｅノードＢに命令することをさらに含む。
【０１００】
マクロｅノードＢが、マイクロｅノードＢによって伝送されたＲＬＣデータパケットに関する受信されたフィードバック情報がＮＡＣＫであると決定した場合、マクロｅノードＢは、ＮＡＣＫに対応するＲＬＣデータパケットが再送される必要があると決定する。
【０１０１】
マクロｅノードＢが、ＮＡＣＫに対応するＲＬＣデータパケットが再送される必要があると決定した場合、マクロｅノードＢは、マイクロｅノードＢによって、二次セルを使用することによって、ＲＬＣデータパケットに対してＨＡＲＱを実行することによって、ＨＡＲＱ複合利得を獲得することができるかどうかを先に決定してよい。例えば、マイクロｅノードＢが、ＲＬＣデータパケット１、ＲＬＣデータパケット２、およびＲＬＣデータパケット３である合計で３つのＲＬＣデータパケットをそれぞれＵＥに伝送し、次に、ＵＥが、３つのＲＬＣデータパケットに関するフィードバック情報をマクロｅノードＢに送信する。例えば、３つのＲＬＣデータパケットにおけるＲＬＣデータパケット２に関して、ＵＥによって送信されるフィードバック情報がＮＡＣＫである。マクロｅノードＢは、マイクロｅノードＢによって二次セルを使用することによってＲＬＣデータパケット２に対してＨＡＲＱを実行することによって、ＨＡＲＱ複合利得を獲得することができるかどうかを決定し、マクロｅノードＢが、マイクロｅノードＢによって二次セルを使用することによってＲＬＣデータパケット２に対してＨＡＲＱを実行することによって、ＨＡＲＱ複合利得を獲得することができると決定した場合、マクロｅノードＢは、ＲＬＣデータパケット２に対応するＮＡＣＫをマイクロｅノードＢに送信し、およびＲＬＣデータパケット２をＨＡＲＱ方式で再送するようにマイクロｅノードＢに命令する。
【０１０２】
もちろん、第１の量のＲＬＣデータパケットに関し、およびマクロｅノードＢによって受信されるフィードバック情報が、ＡＣＫを含む場合、マクロｅノードＢは、ＡＣＫをマイクロｅノードＢに直接に送信する。例えば、３つのＲＬＣデータパケットにおけるＲＬＣデータパケット１とＲＬＣデータパケット３両方に関して、ＵＥによって送信されるフィードバック情報がＡＣＫである。マクロｅノードＢは、ＲＬＣデータパケット１に対応するＡＣＫとＲＬＣデータパケット３に対応するＡＣＫ両方をマイクロｅノードＢに送信する。
【０１０３】
任意選択で、本発明のこの実施形態において、マクロｅノードＢによって、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定することは、特に、
マクロｅノードＢが、二次セルにおいてマイクロｅノードＢによって現在、使用されるＨＡＲＱプロセスの量がＨＡＲＱプロセスの最大量未満であると決定したとき、マクロｅノードＢによって、マイクロｅノードＢによって二次セルを使用することによってＮＡＣＫに対応するＲＬＣデータパケットに対してＨＡＲＱを実行することによってＨＡＲＱ複合利得を獲得することができると決定することを含む。
【０１０４】
二次セルにおいてマイクロｅノードＢによって現在、使用されるＨＡＲＱプロセスの量がＨＡＲＱプロセスの最大量未満である場合、それは、アイドルなＨＡＲＱプロセスが存在することを示し、マクロｅノードＢは、ＮＡＣＫをマイクロｅノードＢに送信し、およびＮＡＣＫに対応するＲＬＣデータパケットをＨＡＲＱ方式で再送するようにマイクロｅノードＢに命令してよい。マクロｅノードＢによって送信されたＮＡＣＫおよび命令を受信した後、命令が、ＮＡＣＫに対応するＲＬＣデータパケットをＨＡＲＱ方式で再送するようにマイクロｅノードＢに命令するのに使用される場合、マイクロｅノードＢは、二次セルを使用することによって、ＮＡＣＫに対応するＲＬＣデータパケットをＵＥにＨＡＲＱ方式で再送する。マイクロｅノードＢは、アイドルなＨＡＲＱプロセスを直接に使用して、ＮＡＣＫに対応するＲＬＣデータパケットを再送してよく、および比較的短い再送遅延が、ＵＥのスループットに基本的に影響しなくてよく、したがって、ＵＥは、ＨＡＲＱ複合利得を正常に獲得することができる。
【０１０５】
しかし、二次セルにおいてマイクロｅノードＢによって現在、使用されるＨＡＲＱプロセスの量がＨＡＲＱプロセスの最大量未満ではない場合、マイクロｅノードＢは、アイドルなＨＡＲＱプロセスが存在するまで待つ必要があり、次に、ＮＡＣＫに対応するＲＬＣデータパケットをＵＥに再送し、これは、比較的長い再送遅延につながり、この事例において、マイクロｅノードＢが、二次セルを使用することによって、ＮＡＣＫに対応するＲＬＣデータパケットをＨＡＲＱ方式で継続的に再送する場合、ＵＥは、ＨＡＲＱ複合利得を獲得することができない。したがって、マイクロｅノードＢによって二次セルを使用することによって、ＲＬＣデータパケットに対してＨＡＲＱを実行することによって、ＨＡＲＱ複合利得を獲得することができるかどうかが、この方式で決定される。
【０１０６】
本発明のこの実施形態において、マクロｅノードＢが、マイクロｅノードＢによって、二次セルを使用することによって、ＮＡＣＫに対応するＲＬＣデータパケットに対してＨＡＲＱを実行することによってＨＡＲＱ複合利得を獲得することができないと決定した場合、マクロｅノードＢは、２つの処理方式を有する。
【０１０７】
方式１  マクロｅノードＢが、それ自体で一次セルを使用することによって、および自動再送要求（Ａｕｔｏｍａｔｉｃ  Ｒｅｐｅａｔ  ｒｅＱｕｅｓｔ、ＡＲＱ）方式で、ＮＡＣＫに対応するＲＬＣデータパケットをＵＥに再送する。
【０１０８】
方式２  マクロｅノードＢが、二次セルを使用することによって、ＮＡＣＫに対応するＲＬＣデータパケットをＵＥにＡＲＱ方式で再送するようにマイクロｅノードＢに命令する。
【０１０９】
２つの方式が、以下に別々に概説される。
【０１１０】
方式１
【０１１１】
任意選択で、本発明のこの実施形態において、マクロｅノードＢによって、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定することの後、方法は、
マクロｅノードＢが、マイクロｅノードＢによって二次セルを使用することによって、ＮＡＣＫに対応するＲＬＣデータパケットに対してＨＡＲＱを実行することによって、ＨＡＲＱ複合利得を獲得することができないと決定した場合、マクロｅノードＢによって、一次セルを使用することによって、ＮＡＣＫに対応するＲＬＣデータパケットをＵＥにＡＲＱ方式で再送することをさらに含んでよい。
【０１１２】
任意選択で、本発明のこの実施形態において、マクロｅノードＢによって、一次セルを使用することによって、ＮＡＣＫに対応するＲＬＣデータパケットをＵＥにＡＲＱ方式で再送することは、
マクロｅノードＢによって、ＲＬＣパケット組立て結果に従って一次セルを使用することによってＮＡＣＫに対応するＲＬＣデータパケットをＵＥにＡＲＱ方式で再送することを特に含む。
【０１１３】
すなわち、マクロｅノードＢが、マイクロｅノードＢによって二次セルを使用することによって、ＮＡＣＫに対応するＲＬＣデータパケットに対してＨＡＲＱを実行することによって、ＨＡＲＱ複合利得を獲得することができないと決定した場合、マクロｅノードＢによって使用されてよい方式は、それ自体で、ＮＡＣＫに対応するＲＬＣデータパケットをＵＥにＡＲＱ方式で再送することである。
【０１１４】
ステップ２０１の前に、マクロｅノードＢは、ＲＬＣパケット組立て結果を獲得しており、およびいずれの特定のＲＬＣデータパケットがマイクロｅノードＢによってＵＥに伝送されたかを知る。したがって、マクロｅノードＢは、ＮＡＣＫに対応するＲＬＣデータパケットをＵＥにＡＲＱ方式で直接に伝送してよい。
【０１１５】
しかし、従来技術において、マクロｅノードＢは、ＲＬＣデータパケットを再送する必要があるものの、マクロｅノードＢは、ＵＥによってフィードバックされるＳＮステータスレポートを先に待つ必要があり、ＳＮステートレポートが受信された後、マクロｅノードＢは、正確にいずれのＲＬＣデータパケットがマイクロｅノードＢによってＵＥに伝送されたかを知り、次にマクロｅノードＢは、ＲＬＣデータパケットの一部分またはすべてを再送することができる。従来技術と比較されて、本発明のこの実施形態における技術的ソリューションは、ＲＬＣサービス対話の時間を低減し、および伝送効率を向上させることが見られることができる。
【０１１６】
方式２
【０１１７】
任意選択で、本発明のこの実施形態において、方法は、
マクロｅノードＢが、マイクロｅノードＢによって二次セルを使用することによってＮＡＣＫに対応するＲＬＣデータパケットに対してＨＡＲＱを実行することによって、ＨＡＲＱ複合利得を獲得することができないと決定した場合、マクロｅノードＢによって、ＮＡＣＫをマイクロｅノードＢに送信すること、およびＮＡＣＫに対応するＲＬＣデータパケットをＵＥにＡＲＱ方式で再送するようにマイクロｅノードＢに命令することをさらに含んでよい。
【０１１８】
マクロｅノードＢが、マイクロｅノードＢによって二次セルを使用することによって、ＮＡＣＫに対応するＲＬＣデータパケットに対してＨＡＲＱを実行することによって、ＨＡＲＱ複合利得を獲得することができないと決定した場合、別の方式が、マクロｅノードＢによって使用されてよく、ＮＡＣＫをマイクロｅノードＢに送信すること、および二次セルを使用することによって、ＮＡＣＫに対応するＲＬＣデータパケットをＵＥにＡＲＱ方式で再送するようにマイクロｅノードＢに命令することである。マクロｅノードＢによって送信されたＮＡＣＫおよび命令を受信した後、命令が、ＮＡＣＫに対応するＲＬＣデータパケットをＡＲＱ方式で再送するようにマイクロｅノードＢに命令するのに使用される場合、マイクロｅノードＢは、二次セルを使用することによって、ＮＡＣＫに対応するＲＬＣデータパケットをＵＥにＡＲＱ方式で再送する。
【０１１９】
例えば、周波数分割複信（Ｆｒｅｑｕｅｎｃｙ  Ｄｉｖｉｓｉｏｎ  Ｄｕｐｌｅｘｉｎｇ、ＦＤＤ）システムにおいて、プロトコルにおいて指定されるＨＡＲＱプロセス（ＩＤ）の量は、８（すなわち、無線インターフェース上の利用可能なＨＡＲＱ  ＩＤの最大量）であり、しかし、ＨＡＲＱの往復時間（Ｒｏｕｎｄ−Ｔｒｉｐ  Ｔｉｍｅ、ＲＴＴ）が存在するため、実際のＨＡＲＱのＲＴＴは、８＋Ｎ（Ｎは、サイト間単方向リンク遅延を参照する）であり、極端なシナリオにおいて、利用可能なＨＡＲＱ  ＩＤの量は、不十分であってよい。従来技術において、二次セルにおける８つすべてのＨＡＲＱ  ＩＤが使用されており、およびＨＡＲＱ  ＩＤが全く解放されないとき、この事例において、新たなＲＬＣデータパケットがマイクロｅノードＢによって再送される必要がある場合、再送は、一時的に実行されず、再送は、アイドルなＨＡＲＱ  ＩＤが存在するとき実行される。すなわち、不十分なＨＡＲＱ  ＩＤのため、ＲＬＣデータパケットは、何らかの時点で送信されることができず、したがって、ＵＥのスループット損失がもたらされ、および一般に、ＵＥのスループットの負の利得は、Ｎ／（８＋Ｎ）*１００％である。
【０１２０】
さらに、従来技術において、８つすべてのＨＡＲＱ  ＩＤが使用されており、およびＨＡＲＱ  ＩＤが全く解放されない場合、この事例において、新たなＲＬＣデータパケットが伝送される必要がある場合、ＨＡＲＱ多重化方式がさらに使用されてよく、すなわち、使用されるＨＡＲＱ  ＩＤが占有され、およびこのＨＡＲＱ  ＩＤのＲＬＣデータパケットが、新たに伝送されるＲＬＣデータパケットであるように設定される。この事例において、占有されるＨＡＲＱ  ＩＤにおいて前回に送信されたＲＬＣデータパケットに対してＨＡＲＱ再送を実行することが要求される場合、ＲＬＣデータパケットは、新たに伝送されるＲＬＣデータパケットとして受信端に送信されることだけができ、ＲＬＣデータパケットは、もはや、再送されたＲＬＣデータパケットとして処理されることができず、したがって、受信端は、ＨＡＲＱ複合利得を獲得することができない。
【０１２１】
本発明のこの実施形態における方法が使用された後、マクロｅノードＢが、二次セルにおいてマイクロｅノードＢによって現在、使用されるＨＡＲＱ  ＩＤの量がＨＡＲＱ  ＩＤの最大量（すなわち、ＨＡＲＱプロセスの最大量）未満であるかどうかを先に決定し、二次セルにおいてマイクロｅノードＢによって現在、使用されるＨＡＲＱ  ＩＤの量がＨＡＲＱ  ＩＤの最大量未満である場合、ＲＬＣデータパケットを再送するためのアイドルなＨＡＲＱ  ＩＤが存在すると決定され、および再送されるべきＲＬＣデータパケットが、時間内に伝送されてよい、すなわち、受信端が、ＨＡＲＱ複合利得を獲得することができる。しかし、二次セルにおいてマイクロｅノードＢによって現在、使用されるＨＡＲＱ  ＩＤの量がＨＡＲＱ  ＩＤの最大量未満ではない、一般に、すなわち、二次セルにおいてマイクロｅノードＢによって現在、使用されるＨＡＲＱ  ＩＤの量がＨＡＲＱ  ＩＤの最大量と等しい場合、それは、アイドルなＨＡＲＱ  ＩＤが新たなＲＬＣデータパケットを再送するのに使用されることが全くないことを示し、および新たなＲＬＣデータパケットは、時間内に伝送されることがなく、本発明のこの実施形態において、ＨＡＲＱ方式は、放棄されてよく、およびＡＲＱ方式が、新たなＲＬＣデータパケットを再送するのに使用されてよく、したがって、ＲＬＣデータパケットは、可能な限り再送されることができ、したがって、データパケットを再送するために要求される遅延が低減され、およびデータパケットを再送する効率が向上させられる。
【０１２２】
図３を参照すると、同一の発明概念に基づいて、本発明の実施形態が、別のＲＬＣデータパケットオフロード方法を提供する。方法の主要な手順が、以下のとおり説明される：
【０１２３】
ステップ３０１  マイクロｅノードＢが、ＲＬＣデータパケット要求メッセージをマクロｅノードＢに送信する。
【０１２４】
ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するのにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である。
【０１２５】
ステップ３０２  マイクロｅノードＢが、マクロｅノードＢによって送信された第１の量のＲＬＣデータパケットを受信する。
【０１２６】
ＲＬＣデータパケット要求メッセージを受信した後、マクロｅノードＢは、Ｔ−ｔの持続時間において一次セルを使用することによって、マクロｅノードＢによって、ＣＡ  ＵＥに送信されるべきＲＬＣデータパケットの第２の量を決定し、Ｔ−ｔの持続時間の開始時間は、マクロｅノードＢがＲＬＣデータパケット要求メッセージを受信する時点である。
【０１２７】
第１の量のＲＬＣデータパケットを決定するプロセスが、マクロｅノードＢによってＲＬＣデータパケット要求メッセージに従ってＴ−ｔの持続時間において一次セルを使用することによって、マクロｅノードＢによって、ＵＥに送信されるべきＲＬＣデータパケットの第２の量を決定することであって、Ｔ−ｔの持続時間の開始時間は、マクロｅノードＢがＲＬＣデータパケット要求メッセージを受信する時点であること、マクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が、第２の量の第１のＲＬＣデータパケットのシリアル番号の後に続く第１のＲＬＣデータパケットから開始して、第１の量のＲＬＣデータパケットをマイクロｅノードＢに割り当てることを含む。
【０１２８】
任意選択で、本発明のこの実施形態において、マイクロｅノードＢが、マクロｅノードＢによって送信された第１の量のＲＬＣデータパケットを受信した後、方法は、
マイクロｅノードＢによって、第１の量のＲＬＣデータパケットをＵＥに送信することをさらに含む。
【０１２９】
任意選択で、本発明のこの実施形態において、マイクロｅノードＢによって、第１の量のＲＬＣデータパケットをＵＥに送信することの後、方法は、
マイクロｅノードＢによって、マクロｅノードＢによって送信され、および第１の量のＲＬＣデータパケットの一部分またはすべてに関するＵＥのものであるフィードバック情報を受信することであって、第１の量のＲＬＣデータパケットに関するＵＥのフィードバック情報は、ＵＥによってマクロｅノードＢに送信されたＡＣＫ／ＮＡＣＫ情報に属し、およびＡＣＫ／ＮＡＣＫ情報は、第２の量のＲＬＣデータパケットに関するＵＥのフィードバック情報をさらに含む、ことをさらに含む。
【０１３０】
すなわち、ＵＥは、第１の量のＲＬＣデータパケットに関するフィードバック情報をマクロｅノードＢに送信し、マクロｅノードＢが、第１の量のＲＬＣデータパケットに関するフィードバック情報を受信した後、フィードバック情報がＡＣＫを含む場合、マクロｅノードＢは、フィードバック情報におけるＡＣＫをマイクロｅノードＢに直接に送信し、フィードバック情報がＮＡＣＫを含む場合、マクロｅノードＢは、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定し、ＨＡＲＱ複合利得が獲得されることができる場合、マクロｅノードＢは、マイクロｅノードＢにＮＡＣＫを送信し、およびＮＡＣＫに対応するＲＬＣデータパケットに対してＨＡＲＱを実行するようにマイクロｅノードＢに命令し、ＮＡＣＫ、およびマクロｅノードＢの命令を受信した後、マイクロｅノードＢが、二次セルを使用することによって、ＮＡＣＫに対応するＲＬＣデータパケットをＵＥにＨＡＲＱ方式で再送する。しかし、マクロｅノードＢは、マイクロｅノードＢによって二次セルを使用することによって、ＮＡＣＫに対応するＲＬＣデータパケットに対してＨＡＲＱを実行することによって、ＨＡＲＱ複合利得を獲得することができないと決定した場合、マクロｅノードＢは、２つの処理方式を有する。１つの処理方式は、マクロｅノードＢが、マイクロｅノードＢにＮＡＣＫを依然として送信し、およびＮＡＣＫに対応するＲＬＣデータパケットに対してＡＲＱを実行するようにマイクロｅノードＢに命令し、ＮＡＣＫ、およびマクロｅノードＢの命令を受信した後、マイクロｅノードＢは、二次セルを使用することによって、ＮＡＣＫに対応するＲＬＣデータパケットをＵＥにＡＲＱ方式で再送することである。他の処理方式は、マクロｅノードＢが、それ自体で、一次セルを使用することによって、ＮＡＣＫに対応するＲＬＣデータパケットをＵＥにＡＲＱ方式で再送することであり、およびこの事例において、マクロｅノードＢは、マイクロｅノードＢにＮＡＣＫを送信しなくてよい。
【０１３１】
任意選択で、本発明のこの実施形態において、マイクロｅノードＢによって、マクロｅノードＢによって送信され、および第１の量のＲＬＣデータパケットの一部分またはすべてに関するＵＥのものであるフィードバック情報を受信することの前に、方法は、
マイクロｅノードＢによって、マクロｅノードＢにＲＬＣパケット組立て結果を送信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを含む、ことをさらに備える。
【０１３２】
マクロｅノードＢが、マイクロｅノードＢによって二次セルを使用することによって、ＮＡＣＫに対応するＲＬＣデータパケットに対してＨＡＲＱを実行することによって、ＨＡＲＱ複合利得を獲得することができないと決定した場合、マクロｅノードＢは、それ自体で、一次セルを使用することによって、ＮＡＣＫに対応するＲＬＣデータパケットをＵＥにＡＲＱ方式で再送し、マクロｅノードＢは、ＲＬＣパケット組立て結果を獲得しており、およびいずれの特定のＲＬＣデータパケットがマイクロｅノードＢによってＵＥに伝送されたかを知るため、マクロｅノードＢは、ＮＡＣＫに対応するＲＬＣデータパケットをＵＥにＡＲＱ方式で直接に伝送してよい。
【０１３３】
しかし、従来技術において、マクロｅノードＢは、ＲＬＣデータパケットを再送する必要があるものの、マクロｅノードＢは、ＵＥによってフィードバックされるＳＮステータスレポートを先に待つ必要があり、ＳＮステータスレポートが受信された後、マクロｅノードＢは、正確にいずれのＲＬＣデータパケットがマイクロｅノードＢによってＵＥに伝送されたかを知り、次にマクロｅノードＢは、ＲＬＣデータパケットの一部分またはすべてを再送することができる。従来技術と比較されて、本発明のこの実施形態における技術的ソリューションは、ＲＬＣサービス対話の時間を低減し、および伝送効率を向上させることが見られることができる。
【０１３４】
図３に示される実施形態において概説されない図３に示される実施形態と関係付けられた詳細な実施部分が、図２に示される実施形態において概説される。詳細に関して図２に示される実施形態に対する参照が行われてよく、詳細が、本明細書において再び説明されることはない。
【０１３５】
図４Ａを参照すると、同一の発明概念に基づいて、本発明の実施形態が、マクロｅノードＢを提供し、およびマクロｅノードＢは、第１の受信モジュール４０１と、決定モジュール４０２と、割当てモジュール４０３と、第１の送信モジュール４０４とを含んでよい。
【０１３６】
第１の受信モジュール４０１は、マイクロｅノードＢによって送信されたＲＬＣデータパケット要求メッセージを受信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である、ことを行うように構成される。
【０１３７】
決定モジュール４０２は、ＲＬＣデータパケット要求メッセージに従って、一次セルを使用することによって、マクロｅノードＢによって、ＵＥに送信されるべきＲＬＣデータパケットの第２の量を決定するように構成される。
【０１３８】
第１の受信モジュール４０１がＲＬＣデータパケット要求メッセージを受信した後、決定モジュール４０２は、Ｔ−ｔの持続時間において一次セルを使用することによって、マクロｅノードＢによって、ＣＡ  ＵＥに送信されるべきＲＬＣデータパケットの第２の量を決定し、Ｔ−ｔの持続時間の開始時間は、マクロｅノードＢがＲＬＣデータパケット要求メッセージを受信する時点である。
【０１３９】
割当てモジュール４０３は、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が第２の量の第１のＲＬＣデータパケットのシリアル番号の後に続く第１のＲＬＣデータパケットから開始して、第１の量のＲＬＣデータパケットをマイクロｅノードＢに割り当てることを行うように構成される。
【０１４０】
第１の送信モジュール４０４は、第１の量のＲＬＣデータパケットをマイクロｅノードＢに送信するように構成される。
【０１４１】
任意選択で、図４Ｂを参照すると、本発明のこの実施形態において、マクロｅノードＢは、第２の送信モジュール４０５をさらに含み、および第２の送信モジュール４０５は、
一次セルを使用することによって第２の量のＲＬＣデータパケットをＵＥに送信するように構成される。
【０１４２】
任意選択で、図４Ｂを依然として参照すると、本発明のこの実施形態において、マクロｅノードＢは、第２の受信モジュール４０６をさらに含み、および第２の受信モジュール４０６は、
一次セルを使用することによって、ＵＥによって送信されたＡＣＫ／ＮＡＣＫ情報を受信することであって、ＡＣＫ／ＮＡＣＫ情報は、第１の量のＲＬＣデータパケットに関するＵＥのフィードバック情報と、第２の量のＲＬＣデータパケットに関するＵＥのフィードバック情報とを含む、ことを行うように構成される。
【０１４３】
任意選択で、図４Ｂを依然として参照すると、本発明のこの実施形態において、
マクロｅノードＢは、判定モジュール４０７をさらに含み、判定モジュール４０７は、第２の受信モジュール４０６が、一次セルを使用することによって、ＵＥによって送信されたＡＣＫ／ＮＡＣＫ情報を受信した後、ＡＣＫ／ＮＡＣＫ情報の中にあり、および第１の量のＲＬＣデータパケットに関するフィードバック情報が、ＮＡＣＫを含む場合、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定するように構成される。
【０１４４】
第１の送信モジュール４０４は、ＨＡＲＱ複合利得を獲得することができる場合、マイクロｅノードＢにＮＡＣＫを送信すること、およびＲＬＣデータパケットをＵＥにＨＡＲＱ方式で再送するようにマイクロｅノードＢに命令することを行うようにさらに構成される。
【０１４５】
任意選択で、本発明のこの実施形態において、判定モジュール４０７は、特に、
二次セルにおいてマイクロｅノードＢによって現在、使用されるＨＡＲＱプロセスの量がＨＡＲＱプロセスの最大量未満であると決定されたとき、マイクロｅノードＢによって、二次セルを使用することによってＮＡＣＫに対応するＲＬＣデータパケットに対してＨＡＲＱを実行することによってＨＡＲＱ複合利得を獲得することができると決定するように構成される。
【０１４６】
任意選択で、図４Ｂを依然として参照すると、本発明のこの実施形態において、マクロｅノードＢは、再送モジュール４０８をさらに含み、および再送モジュール４０８は、
判定モジュール４０７が、マイクロｅノードＢによって二次セルを使用することによってＮＡＣＫに対応するＲＬＣデータパケットに対してＨＡＲＱを実行することによって、ＨＡＲＱ複合利得を獲得することができないと決定した場合、一次セルを使用することによって、および第２の送信モジュール４０５を使用することによって、ＮＡＣＫに対応するＲＬＣデータパケットをＵＥにＡＲＱ方式で再送するように構成される。
【０１４７】
任意選択で、本発明のこの実施形態において、
第１の受信モジュール４０１は、
第２の受信モジュール４０６が、一次セルを使用することによって、ＵＥによって送信されたＡＣＫ／ＮＡＣＫ情報を受信する前に、マイクロｅノードＢによって送信されたＲＬＣパケット組立て結果を受信することであって、ＲＬＣパケット組立て結果は、二次セルを使用することによってＵＥにマイクロｅノードＢによって伝送されたＲＬＣデータパケットについての情報を示すのに使用され、および二次セルを使用することによってＵＥにマイクロｅノードＢによって伝送されたＲＬＣデータパケットは、第１の量のＲＬＣデータパケットの一部分またはすべてを備える、ことを行うようにさらに構成される。
【０１４８】
再送モジュール４０８は、特に、一次セルを使用することによって、および第２の送信モジュール４０５を使用することによって、ＲＬＣパケット組立て結果に従って、ＮＡＣＫに対応するＲＬＣデータパケットをＵＥにＡＲＱ方式で再送するように構成される。
【０１４９】
任意選択で、本発明のこの実施形態において、第１の送信モジュール４０４は、
判定モジュール４０７が、マイクロｅノードＢによって二次セルを使用することによってＮＡＣＫに対応するＲＬＣデータパケットに対してＨＡＲＱを実行することによって、ＨＡＲＱ複合利得を獲得することができないと決定した場合、マイクロｅノードＢにＮＡＣＫを送信すること、および二次セルを使用することによって、ＮＡＣＫに対応するＲＬＣデータパケットをＵＥにＡＲＱ方式で再送するようにマイクロｅノードＢに命令することを行うようにさらに構成される。
【０１５０】
図５Ａを参照すると、同一の発明概念に基づいて、本発明の実施形態が、マイクロｅノードＢを提供し、およびマイクロｅノードＢは、第１の送信モジュール５０１と、第１の受信モジュール５０２とを含んでよい。
【０１５１】
第１の送信モジュール５０１は、ＲＬＣデータパケット要求メッセージをマクロｅノードＢに送信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点で第１の送信モジュールを使用することによってマクロｅノードＢにマイクロｅノードＢによって送信され、第１の時点と第２の時点との間の時間差は、Ｔであり、およびＴは、２ｔ以上であり、第２の時点は、マイクロｅノードＢが、第２の送信モジュール５０３を使用することによって第１の量のＲＬＣデータパケットをＵＥに送信する時点であり（図５Ｂを参照すると、マイクロｅノードＢは、第２の送信モジュール５０３をさらに含む）、およびｔは、マイクロｅノードＢとマクロｅノードＢとの間の単方向伝送遅延である、ことを行うように構成される。
【０１５２】
第１の受信モジュール５０２は、マクロｅノードＢによって送信された第１の量のＲＬＣデータパケットを受信することであって、第１の量のＲＬＣデータパケットを決定するプロセスは、マクロｅノードＢによってＲＬＣデータパケット要求メッセージに従ってＴ−ｔの持続時間において一次セルを使用することによって、マクロｅノードＢによって、ＵＥに送信されるべきＲＬＣデータパケットの第２の量を決定することであって、Ｔ−ｔの持続時間の開始時間は、マクロｅノードＢがＲＬＣデータパケット要求メッセージを受信する時点であること、ならびにマクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が、第２の量の第１のＲＬＣデータパケットのシリアル番号の後に続く第１のＲＬＣデータパケットから開始して、第１の量のＲＬＣデータパケットをマイクロｅノードＢに割り当てることを含む、ことを行うように構成される。
【０１５３】
任意選択で、本発明のこの実施形態において、第１の受信モジュール５０２は、
マクロｅノードＢによって送信され、および第１の量のＲＬＣデータパケットの一部分またはすべてに関するＵＥのものであるフィードバック情報を受信することであって、第１の量のＲＬＣデータパケットに関するＵＥのフィードバック情報は、ＵＥによってマクロｅノードＢに送信されたＡＣＫ／ＮＡＣＫ情報に属し、およびＡＣＫ／ＮＡＣＫ情報は、第２の量のＲＬＣデータパケットに関するＵＥのフィードバック情報をさらに含む、ことを行うようにさらに構成される。
【０１５４】
任意選択で、本発明のこの実施形態において、第１の送信モジュール５０１は、
第１の受信モジュール５０２が、マクロｅノードＢによって送信され、および第１の量のＲＬＣデータパケットの一部分またはすべてに関するＵＥのものであるフィードバック情報を受信する前に、マクロｅノードＢにＲＬＣパケット組立て結果を送信することであって、ＲＬＣパケット組立て結果は、二次セルを使用することによっておよび第２の送信モジュール５０３を使用することによって、ＵＥにマイクロｅノードＢによって伝送されたＲＬＣデータパケットについての情報を示すのに使用され、および、二次セルを使用することによっておよび第２の送信モジュール５０３を使用することによって、ＵＥにマイクロｅノードＢによって伝送されたＲＬＣデータパケットは、第１の量のＲＬＣデータパケットの一部分またはすべてを含む、ことを行うようにさらに構成される。
【０１５５】
任意選択で、本発明のこの実施形態において、第２の送信モジュール５０３は、第１の量のＲＬＣデータパケットをＵＥに送信するようにさらに構成される。
【０１５６】
任意選択で、本発明のこの実施形態において、第２の送信モジュール５０３は、第２のセルを使用することによってマクロｅノードＢの命令に従って、ＮＡＣＫに対応するＲＬＣデータパケットをＵＥにＨＡＲＱ方式またはＡＲＱ方式で再送するようにさらに構成される。
【０１５７】
図６Ａを参照すると、同一の発明概念に基づいて、本発明の実施形態が、マクロｅノードＢを提供し、およびマクロｅノードＢは、メモリ６０１と、プロセッサ６０２と、バス６００に接続されたインターフェース６０３とを含んでよい。
【０１５８】
メモリ６０１は、タスクを実行するのにプロセッサ６０２によって要求される命令を記憶するように構成される。
【０１５９】
インターフェース６０３は、マイクロｅノードＢによって送信されたＲＬＣデータパケット要求メッセージを受信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でマクロｅノードＢにマイクロｅノードＢによって送信され、第１の時点と第２の時点との間の時間差は、Ｔであり、およびＴは、２ｔ以上であり、第２の時点は、マイクロｅノードＢが第１の量のＲＬＣデータパケットをＵＥに送信する時点であり、およびｔは、マイクロｅノードＢとマクロｅノードＢとの間の単方向伝送遅延である、ことを行うように構成される。
【０１６０】
プロセッサ６０２は、ＲＬＣデータパケット要求メッセージに従って一次セルを使用することによって、マクロｅノードＢによって、ＵＥに送信されるべきＲＬＣデータパケットの第２の量を決定すること、ならびに送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が、第２の量の第１のＲＬＣデータパケットのシリアル番号の後に続く第１のＲＬＣデータパケットから開始して、第１の量のＲＬＣデータパケットをマイクロｅノードＢに割り当てることを行うメモリ６０１に記憶された命令を呼び出す。
【０１６１】
特に、プロセッサ６０２は、インターフェース６０３を使用することによってＲＬＣデータパケット要求メッセージを受信した後、マクロｅノードＢによって、Ｔ−ｔの持続時間において一次セルを使用することによってＣＡ  ＵＥに送信されるべきＲＬＣデータパケットの第２の量を決定することであって、Ｔ−ｔの持続時間の開始時間は、ＲＬＣデータパケット要求メッセージが受信される時点である、ことを実行するように構成される。
【０１６２】
プロセッサ６０２は、インターフェース６０３を使用することによって第１の量のＲＬＣデータパケットをマイクロｅノードＢに送信するようにさらに構成される。
【０１６３】
任意選択で、図６Ｂを参照すると、本発明のこの実施形態において、マクロｅノードＢは、バス６００に接続されたトランシーバ６０４をさらに含み、およびプロセッサ６０２は、一次セルを使用することによって、およびトランシーバ６０４を使用することによって第２の量のＲＬＣデータパケットをＵＥに送信するようにさらに構成される。
【０１６４】
任意選択で、本発明のこの実施形態において、トランシーバ６０４は、一次セルを使用することによって、ＵＥによって送信されたＡＣＫ／ＮＡＣＫ情報を受信することであって、ＡＣＫ／ＮＡＣＫ情報は、第１の量のＲＬＣデータパケットに関するＵＥのフィードバック情報と、第２の量のＲＬＣデータパケットに関するＵＥのフィードバック情報とを含む、ことを行うようにさらに構成される。
【０１６５】
任意選択で、本発明のこの実施形態において、プロセッサ６０２は、
トランシーバ６０４が、一次セルを使用することによって、ＵＥによって送信されたＡＣＫ／ＮＡＣＫ情報を受信した後、ＡＣＫ／ＮＡＣＫ情報の中にあり、および第１の量のＲＬＣデータパケットに関するフィードバック情報が、ＮＡＣＫを含む場合、マイクロｅノードＢによって二次セルを使用することによってＮＡＣＫに対応するＲＬＣデータパケットに対してＨＡＲＱを実行することによって、ＨＡＲＱ複合利得を獲得することができるかどうかを決定すること、およびＨＡＲＱ複合利得を獲得することができる場合、インターフェース６０３を使用することによってマイクロｅノードＢにＮＡＣＫを送信すること、およびＲＬＣデータパケットをＵＥにＨＡＲＱ方式で再送するようにマイクロｅノードＢに命令することを行うようにさらに構成される。
【０１６６】
任意選択で、本発明のこの実施形態において、プロセッサ６０２が、マイクロｅノードＢによって、二次セルを使用することによって、ＮＡＣＫに対応するＲＬＣデータパケットに対してＨＡＲＱを実行することによってＨＡＲＱ複合利得が獲得されることができるかどうかを決定するようにさらに構成されることは、特に、
二次セルにおいてマイクロｅノードＢによって現在、使用されるＨＡＲＱプロセスの量がＨＡＲＱプロセスの最大量未満であると決定したとき、マイクロｅノードＢによって、二次セルを使用することによって、ＮＡＣＫに対応するＲＬＣデータパケットに対してＨＡＲＱを実行することによってＨＡＲＱ複合利得が獲得されることができると決定することである。
【０１６７】
任意選択で、本発明のこの実施形態において、プロセッサ６０２は、
マイクロｅノードＢによって二次セルを使用することによってＮＡＣＫに対応するＲＬＣデータパケットに対してＨＡＲＱを実行することによって、ＨＡＲＱ複合利得を獲得することができないと決定された場合、一次セルを使用することによって、およびトランシーバ６０４を使用することによって、ＮＡＣＫに対応するＲＬＣデータパケットをＵＥにＡＲＱ方式で再送するようにさらに構成される。
【０１６８】
任意選択で、本発明のこの実施形態において、
インターフェース６０３は、トランシーバ６０４が、一次セルを使用することによって、ＵＥによって送信されたＡＣＫ／ＮＡＣＫ情報を受信する前に、マイクロｅノードＢによって送信されたＲＬＣパケット組立て結果を受信することであって、ＲＬＣパケット組立て結果は、二次セルを使用することによってＵＥにマイクロｅノードＢによって伝送されたＲＬＣデータパケットについての情報を示すのに使用され、および、二次セルを使用することによってＵＥにマイクロｅノードＢによって伝送されたＲＬＣデータパケットは、第１の量のＲＬＣデータパケットの一部分またはすべてを含む、ことを行うようにさらに構成される。
【０１６９】
プロセッサ６０２が、一次セルを使用することによって、およびトランシーバ６０４を使用することによって、ＮＡＣＫに対応するＲＬＣデータパケットをＵＥにＡＲＱ方式で再送するようにさらに構成されることは、特に、一次セルを使用することによっておよびトランシーバ６０４を使用することによって、ＲＬＣパケット組立て結果に従って、ＮＡＣＫに対応するＲＬＣデータパケットをＵＥにＡＲＱ方式で再送することである。
【０１７０】
任意選択で、本発明のこの実施形態において、プロセッサ６０２は、
マイクロｅノードＢによって二次セルを使用することによってＮＡＣＫに対応するＲＬＣデータパケットに対してＨＡＲＱを実行することによって、ＨＡＲＱ複合利得を獲得することができないと決定された場合、インターフェース６０３を使用することによってマイクロｅノードＢにＮＡＣＫを送信すること、および二次セルを使用することによって、ＮＡＣＫに対応するＲＬＣデータパケットをＵＥにＡＲＱ方式で再送するようにマイクロｅノードＢに命令することを行うさらに構成される。
【０１７１】
図７を参照すると、同一の発明概念に基づいて、本発明の実施形態が、マイクロｅノードＢを提供し、およびマイクロｅノードＢは、バス７００に接続された、メモリ７０１と、プロセッサ７０２と、インターフェース７０３と、トランシーバ７０４とを含んでよい。
【０１７２】
メモリ７０１は、タスクを実行するのにプロセッサ７０２によって要求される命令を記憶するように構成される。
【０１７３】
プロセッサ７０２は、メモリ７０１に記憶された命令を呼び出して、インターフェース７０３を使用することによってＲＬＣデータパケット要求メッセージをマクロｅノードＢに送信することであって、ＲＬＣデータパケット要求メッセージは、二次セルを使用することによってＣＡ  ＵＥにマイクロｅノードＢによって送信されるべきＲＬＣデータパケットの第１の量をマクロｅノードＢから要求するためにマイクロｅノードＢによって使用され、ＲＬＣデータパケット要求メッセージは、第１の時点でインターフェース７０３を使用することによってマクロｅノードＢにプロセッサ７０２によって送信され、第１の時点と第２の時点との間の時間差は、Ｔであり、およびＴは、２ｔ以上であり、第２の時点は、プロセッサ７０２が、トランシーバ７０４を使用することによって第１の量のＲＬＣデータパケットをＵＥに送信する時点であり、およびｔは、マイクロｅノードＢとマクロｅノードＢとの間の単方向伝送遅延である、ことを行う。
【０１７４】
インターフェース７０３は、マクロｅノードＢによって送信された第１の量のＲＬＣデータパケットを受信することであって、第１の量のＲＬＣデータパケットを決定するプロセスは、マクロｅノードＢによってＲＬＣデータパケット要求メッセージに従ってＴ−ｔの持続時間において一次セルを使用することによって、マクロｅノードＢによって、ＵＥに送信されるべきＲＬＣデータパケットの第２の量を決定することであって、Ｔ−ｔの持続時間の開始時間は、マクロｅノードＢがＲＬＣデータパケット要求メッセージを受信する時点であること、ならびにマクロｅノードＢによって、送信されるべきＲＬＣデータパケットのシリアル番号の昇順で、送信されるべきＲＬＣデータパケットにおける第２の量の第１のＲＬＣデータパケットをマクロｅノードＢに割り当てること、およびシリアル番号が第２の量の第１のＲＬＣデータパケットのシリアル番号の後に続く第１のＲＬＣデータパケットから開始して、第１の量のＲＬＣデータパケットをマイクロｅノードＢに割り当てることを含む、ことを行うように構成される。
【０１７５】
任意選択で、本発明のこの実施形態において、インターフェース７０３は、マクロｅノードＢによって送信され、および第１の量のＲＬＣデータパケットの一部分またはすべてに関するＵＥのものであるフィードバック情報を受信することであって、第１の量のＲＬＣデータパケットに関するＵＥのフィードバック情報は、ＵＥによってマクロｅノードＢに送信されたＡＣＫ／ＮＡＣＫ情報に属し、およびＡＣＫ／ＮＡＣＫ情報は、第２の量のＲＬＣデータパケットに関するＵＥのフィードバック情報をさらに含む、ことを行うようにさらに構成される。
【０１７６】
任意選択で、本発明のこの実施形態において、プロセッサ７０２は、
インターフェース７０３が、マクロｅノードＢによって送信され、および第１の量のＲＬＣデータパケットの一部分またはすべてに関するＵＥのものであるフィードバック情報を受信する前に、インターフェース７０３を使用することによってマクロｅノードＢにＲＬＣパケット組立て結果を送信することであって、ＲＬＣパケット組立て結果は、プロセッサ７０２によって、二次セルを使用することによって、およびトランシーバ７０４を使用することによってＵＥに伝送されたＲＬＣデータパケットについての情報を示すのに使用され、およびプロセッサ７０２によって、二次セルを使用することによって、およびトランシーバ７０４を使用することによってＵＥに伝送されたＲＬＣデータパケットは、第１の量のＲＬＣデータパケットの一部分またはすべてを備える、ことを行うようにさらに構成される。
【０１７７】
任意選択で、本発明のこの実施形態において、プロセッサ７０２は、トランシーバ７０４を使用することによって第１の量のＲＬＣデータパケットをＵＥに送信するようにさらに構成される。
【０１７８】
任意選択で、本発明のこの実施形態において、プロセッサ７０２は、第２のセルを使用することによって、およびトランシーバ７０４を使用することによってマクロｅノードＢの命令に従って、ＮＡＣＫに対応するＲＬＣデータパケットをＵＥにＨＡＲＱ方式またはＡＲＱ方式で再送するようにさらに構成される。
【０１７９】
本発明のこの実施形態において、マイクロｅノードＢが、要求されるＲＬＣデータパケットを、ＲＬＣデータパケットがＵＥに送信される時点の前の第１の時点で要求してよく、このようにして、マクロｅノードＢが、マイクロｅノードＢに前もって、マイクロｅノードＢによって要求されるＲＬＣデータパケットを送信することができ、したがって、マクロｅノードＢとマイクロｅノードＢとの間の伝送遅延が可能な限り低減され、および非理想的なバックホールＨｅｔＮｅｔのＣＡシナリオにおけるＵＥの受信パフォーマンスが向上させられる。
【０１８０】
さらに、本発明のこの実施形態において、マクロｅノードＢが、ｔの持続時間を使用して、マイクロｅノードＢのＲＬＣデータパケット要求メッセージを受信し、現在の時点から第２の時点までの持続時間においてマクロｅノードＢによって送信されることができる第２の量のＲＬＣデータパケットを決定し、マクロｅノードＢに、シリアル番号が先に来る第２の量の第１のＲＬＣデータパケットを割り当て、およびマイクロｅノードＢに、シリアル番号が第２の量のＲＬＣデータパケットのシリアル番号の後に続く第１の量のＲＬＣデータパケットを割り当て、および次に、マクロｅノードＢが、第２の量のＲＬＣデータパケットをＵＥに送信することを開始する。第２の量のＲＬＣデータパケットを送信するのにマクロｅノードＢによって要求される持続時間は、現在の時点から第２の時点までの持続時間であるため、マクロｅノードＢが、第２の量のデータパケットの送信を完了したとき、マイクロｅノードＢは、第１の量のＲＬＣデータパケットを正確に受信して、送信することを開始し、およびこれらのＲＬＣデータパケットのシリアル番号は、順番になっており、このことが、ＲＬＣデータパケットが連続して送信されることを確実にし、順序が乱れたＲＬＣデータパケットの受信のためにＵＥがＲＬＣデータパケットを復号できないことを回避し、およびＵＥの受信パフォーマンスをさらに向上させる。
【０１８１】
当業者によって、便宜、および簡単な説明の目的で、前述の機能ユニットの分割は、例示のための例としてとられていることが明確に理解されてよい。実際のアプリケーションにおいて、前述の機能は、異なる機能ユニットに割り当てられ、および要件に従って実施されることができ、すなわち、装置の内部構造は、前述される機能のすべてまたは部分を実施するように異なる機能ユニットに分割される。前述のシステム、装置、およびユニットの詳細な働くプロセスに関して、前述の方法実施形態における対応するプロセスの参照が行われてよく、および詳細が、本明細書において再び説明されることはない。
【０１８２】
本発明の実施形態における技術的ソリューションは、第１の基地局との間のネットワーキングシナリオ、および第２の基地局との間のネットワーキングシナリオにも適用可能であり、すなわち、基地局の形態は、本発明の実施形態において限定されない。
【０１８３】
本出願において提供されるいくつかの実施形態において、開示されるシステム、装置、および方法は、他の方式で実施されてよいことを理解されたい。例えば、説明される装置実施形態は、単に例示的である。例えば、ユニット分割は、単に論理機能分割であり、実際の実施において他の分割であってよい。例えば、複数のユニットまたは構成要素が、別のシステムになるように組み合わされて、もしくは統合されてよく、またはいくつかのフィーチャが無視されてよく、もしくは実行されなくてよい。さらに、表示される、もしくは説明される相互結合、または直接の結合もしくは通信接続は、いくつかのインターフェースを介して実施されてよい。装置もしくはユニットとの間との間接的な結合もしくは通信接続は、電子形態、機械形態、または他の形態で実施されてよい。
【０１８４】
別個の部分として説明されるユニットは、物理的に別個であってよく、または物理的に別個でなくてよく、ユニットとして表示される部分は、物理ユニットであってよく、または物理ユニットでなくてよく、１つの位置に配置されてよく、または複数のネットワークユニット上に分散されてよい。ユニットのうちのいくつか、またはすべてが、実施形態のソリューションの目的を実現する実際の必要性に従って選択されてよい。
【０１８５】
さらに、本出願の実施形態における機能ユニットは、１つの処理ユニットになるように統合されてよく、またはユニットのそれぞれが、物理的に単独で存在してよく、または２つもしくはより多くのユニットが、１つのユニットになるように統合される。統合されたユニットは、ハードウェアの形態で実施されてよく、またはソフトウェア機能ユニットの形態で実施されてよい。
【０１８６】
統合されたユニットが、ソフトウェア機能ユニットの形態で実施され、および独立した製品として販売される、もしくは使用されるとき、統合されたユニットは、コンピュータ可読記憶媒体に記憶されてよい。そのような理解に基づいて、本出願の技術的ソリューションは、基本的に、または従来技術に寄与する部分が、または技術的ソリューションのすべてもしくは一部分が、ソフトウェア製品の形態で実施されてよい。ソフトウェア製品は、記憶媒体に記憶され、および本出願の実施形態において説明される方法のステップのすべてまたは一部分を実行するようにコンピュータデバイス（パーソナルコンピュータ、サーバ、もしくはネットワークデバイスであってよい）またはプロセッサに命令するためのいくつかの命令を含む。前述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶することができる任意の媒体を含む。
【０１８７】
前述の実施形態は、本出願の技術的ソリューションを説明するのに単に使用される。前述の実施形態は、本発明の方法および中核の着想を理解するのを助けるように単に意図され、本発明に対する限定として解釈されるべきではない。本発明において開示される技術範囲内で当業者によって容易に考案される任意の変形または置換が、本発明の保護範囲に入るべきである。
【図１】
2018510548.tif 000003
【図２】
2018510548.tif 000004
【図３】
2018510548.tif 000005
【図４Ａ】
2018510548.tif 000006
【図４Ｂ】
2018510548.tif 000007
【図５Ａ】
2018510548.tif 000008
【図５Ｂ】
2018510548.tif 000009
【図６Ａ】
2018510548.tif 000010
【図６Ｂ】
2018510548.tif 000011
【図７】
2018510548.tif 000012
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
第１の基地局によって、第２の基地局によって送信されたＲＬＣデータパケット要求メッセージを受信するステップであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するために前記第２の基地局によって使用され、前記ＲＬＣデータパケット要求メッセージは、第１の時点で前記第１の基地局に前記第２の基地局によって送信され、前記第１の時点と第２の時点との間の時間差は、Ｔであり、およびＴは、２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延である、ステップと、
前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定するステップであって、Ｔ−ｔの前記持続時間の開始時間は、前記第１の基地局が前記ＲＬＣデータパケット要求メッセージを受信する時点である、ステップと、
前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てるステップ、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てるステップと、
前記第１の基地局によって、前記第１の量の前記ＲＬＣデータパケットを前記第２の基地局に送信するステップと
を備えたことを特徴とする無線リンク制御（ＲＬＣ）データパケットオフロード方法。
【請求項２】
前記第１の基地局によって、前記一次セルを使用することによって前記第２の量の前記ＲＬＣデータパケットを前記ＵＥに送信するステップをさらに備えたことを特徴とする請求項１に記載の方法。
【請求項３】
前記第１の基地局によって、前記一次セルを使用することによって、前記ＵＥによって送信された肯定応答（ＡＣＫ）／否定応答（ＮＡＣＫ）情報を受信するステップであって、前記ＡＣＫ／ＮＡＣＫ情報は、前記第１の量の前記ＲＬＣデータパケットに関する前記ＵＥのフィードバック情報と、前記第２の量の前記ＲＬＣデータパケットに関する前記ＵＥのフィードバック情報とを含む、ステップをさらに備えたことを特徴とする請求項２に記載の方法。
【請求項４】
前記第１の基地局によって、前記一次セルを使用することによって、前記ＵＥによって送信されたＡＣＫ／ＮＡＣＫ情報を受信する前記ステップの後に、方法は、
前記第１の量の前記ＲＬＣデータパケットに関し、および前記第１の基地局によって受信された前記フィードバック情報が、ＮＡＣＫを含む場合、前記第１の基地局によって、前記第２の基地局によって前記二次セルを使用することによって前記ＮＡＣＫに対応するＲＬＣデータパケットに対してハイブリッド自動再送要求（ＨＡＲＱ）を実行することによって、ＨＡＲＱ複合利得を獲得することができるかどうかを決定するステップと、
前記ＨＡＲＱ複合利得を獲得することができる場合、前記第１の基地局によって、前記第２の基地局に前記ＮＡＣＫを送信するステップ、および前記ＲＬＣデータパケットを前記ＵＥにＨＡＲＱ方式で再送するように前記第２の基地局に命令するステップと
をさらに備えたことを特徴とする請求項３に記載の方法。
【請求項５】
前記第１の基地局によって、前記第２の基地局によって、前記二次セルを使用することによって、前記ＮＡＣＫに対応するＲＬＣデータパケットに対してＨＡＲＱを実行することによって、ＨＡＲＱ複合利得を獲得することができるかどうかを決定する前記ステップは、
前記第１の基地局が、前記二次セルにおいて前記第２の基地局によって現在、使用されるＨＡＲＱプロセスの量がＨＡＲＱプロセスの最大量未満であると決定したとき、前記第１の基地局によって、前記第２の基地局によって前記二次セルを使用することによって前記ＮＡＣＫに対応する前記ＲＬＣデータパケットに対して前記ＨＡＲＱを実行することによって前記ＨＡＲＱ複合利得を獲得することができると決定するステップを備えたことを特徴とする請求項４に記載の方法。
【請求項６】
前記第１の基地局が、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記第１の基地局によって、前記一次セルを使用することによって、前記ＮＡＣＫに対応する前記ＲＬＣデータパケットを前記ＵＥに自動再送要求（ＡＲＱ）方式で再送するステップをさらに備えたことを特徴とする請求項４または５に記載の方法。
【請求項７】
前記第１の基地局によって、前記一次セルを使用することによって、前記ＵＥによって送信されたＡＣＫ／ＮＡＣＫ情報を受信する前記ステップの前に、方法は、
前記第１の基地局によって、前記第２の基地局によって送信されたＲＬＣパケット組立て結果を受信するステップであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含む、該ステップと、
前記一次セルを使用することによって前記第１の基地局によって、前記ＮＡＣＫに対応する前記ＲＬＣデータパケットを前記ＵＥにＡＲＱ方式で再送する前記ステップは、
前記一次セルを使用することによって前記ＲＬＣパケット組立て結果に従って前記第１の基地局によって、前記ＮＡＣＫに対応する前記ＲＬＣデータパケットを前記ＵＥに前記ＡＲＱ方式で再送するステップと、
をさらに備えたことを特徴とする請求項６に記載の方法。
【請求項８】
前記第１の基地局は、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記第１の基地局によって、前記第２の基地局に前記ＮＡＣＫを送信するステップ、および前記二次セルを使用することによって、前記ＮＡＣＫに対応する前記ＲＬＣデータパケットを前記ＵＥにＡＲＱ方式で再送するように前記第２の基地局に命令するステップをさらに備えたことを特徴とする請求項４または５に記載の方法。
【請求項９】
第２の基地局によって、ＲＬＣデータパケット要求メッセージを第１の基地局に送信するステップであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、第１の時点で前記第１の基地局に前記第２の基地局によって送信され、前記第１の時点と第２の時点との間の時間差はＴであり、および、Ｔは２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延である、該ステップと、
前記第２の基地局によって、前記第１の基地局によって送信された前記第１の量の前記ＲＬＣデータパケットを受信するステップであって、前記第１の量の前記ＲＬＣデータパケットを決定するプロセスは、前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定するステップであって、Ｔ−ｔの前記持続時間の開始時間は、前記第１の基地局が前記ＲＬＣデータパケット要求メッセージを受信する時点である、ステップ、ならびに前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てるステップ、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てるステップを含む、ステップと
を備えたことを特徴とする無線リソース制御（ＲＬＣ）データパケットオフロード方法。
【請求項１０】
前記第２の基地局によって、前記第１の基地局によって送信され、および前記第１の量の前記ＲＬＣデータパケットの一部分またはすべてに関する前記ＵＥのものであるフィードバック情報を受信するステップであって、前記第１の量の前記ＲＬＣデータパケットに関する前記ＵＥの前記フィードバック情報は、前記ＵＥによって前記第１の基地局に送信された肯定応答（ＡＣＫ）／否定応答（ＮＡＣＫ）情報に属し、および前記ＡＣＫ／ＮＡＣＫ情報は、前記第２の量の前記ＲＬＣデータパケットに関する前記ＵＥのフィードバック情報をさらに含む、ステップをさらに備えたことを特徴とする請求項９に記載の方法。
【請求項１１】
前記第２の基地局によって、前記第１の基地局によって送信され、および前記第１の量の前記ＲＬＣデータパケットの一部分またはすべてに関する前記ＵＥのものであるフィードバック情報を前記受信する前記ステップの前に、方法は、
前記第２の基地局によって、前記第１の基地局にＲＬＣパケット組立て結果を送信するステップであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含む、該ステップをさらに備えたことを特徴とする請求項１０に記載の方法。
【請求項１２】
第１の基地局として動作するように構成された基地局であって、
第２の基地局によって送信された無線リンク制御（ＲＬＣ）データパケット要求メッセージを受信するように構成された第１の受信モジュールであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、第１の時点で前記第１の基地局に前記第２の基地局によって送信され、前記第１の時点と第２の時点との間の時間差はＴであり、および、Ｔは２ｔ以上であり、前記第２の時点は、前記第２の基地局が前記第１の量のＲＬＣデータパケットを前記ＵＥに送信する時点であり、およびｔは、前記第２の基地局と前記第１の基地局との間の単方向伝送遅延である、第１の受信モジュールと、
前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定するように構成された決定モジュールであって、Ｔ−ｔの前記持続時間の開始時間は、前記第１の基地局が前記ＲＬＣデータパケット要求メッセージを受信する時点である、決定モジュールと、
送信されるべきＲＬＣデータパケットのシリアル番号の昇順で、前記送信されるべきＲＬＣデータパケットにおける前記第２の量の第１のＲＬＣデータパケットを前記第１の基地局に割り当てること、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てることを行うように構成された割当てモジュールと、
前記第１の量の前記ＲＬＣデータパケットを前記第２の基地局に送信するように構成された第１の送信モジュールと
を備えたことを特徴とする基地局。
【請求項１３】
第２の送信モジュールをさらに備える基地局であって、
前記第２の送信モジュールは、
前記一次セルを使用することによって前記第２の量の前記ＲＬＣデータパケットを前記ＵＥに送信するように構成されたことを特徴とする請求項１２に記載の基地局。
【請求項１４】
第２の受信モジュールをさらに備える基地局であって、
前記第２の受信モジュールは、
前記一次セルを使用することによって、前記ＵＥによって送信された肯定応答（ＡＣＫ）／否定応答（ＮＡＣＫ）情報を受信することであって、前記ＡＣＫ／ＮＡＣＫ情報は、前記第１の量の前記ＲＬＣデータパケットに関する前記ＵＥのフィードバック情報と、前記第２の量の前記ＲＬＣデータパケットに関する前記ＵＥのフィードバック情報とを含むように構成されたことを特徴とする請求項１３に記載の基地局。
【請求項１５】
前記第２の受信モジュールは、前記一次セルを使用することによって、前記ＵＥによって送信された前記ＡＣＫ／ＮＡＣＫ情報を受信した後、前記ＡＣＫ／ＮＡＣＫ情報の中にあり、および前記第１の量の前記ＲＬＣデータパケットに関する前記フィードバック情報が、ＮＡＣＫを含む場合、前記第２の基地局によって前記二次セルを使用することによって前記ＮＡＣＫに対応するＲＬＣデータパケットに対してハイブリッド自動再送要求（ＨＡＲＱ）を実行することによって、ＨＡＲＱ複合利得を獲得することができるかどうかを決定するように構成された判定モジュールをさらに備える基地局であって、
前記第１の送信モジュールは、前記ＨＡＲＱ複合利得を獲得することができる場合、前記第２の基地局に前記ＮＡＣＫを送信すること、および前記ＲＬＣデータパケットを前記ＵＥにＨＡＲＱ方式で再送するように第２の基地局に命令するようにさらに構成されたことを特徴とする請求項１４に記載の基地局。
【請求項１６】
前記判定モジュールは、
前記二次セルにおいて前記第２の基地局によって現在、使用されるＨＡＲＱプロセスの量がＨＡＲＱプロセスの最大量未満であると決定したとき、前記第２の基地局によって、前記二次セルを使用することによって、前記ＮＡＣＫに対応する前記ＲＬＣデータパケットに対して前記ＨＡＲＱを実行することによって、前記ＨＡＲＱ複合利得を獲得することができることを決定するように構成されたことを特徴とする請求項１５に記載の基地局。
【請求項１７】
前記判定モジュールが、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記一次セルを使用することによって、および前記第２の送信モジュールを使用することによって、前記ＮＡＣＫに対応する前記ＲＬＣデータパケットを前記ＵＥに自動再送要求（ＡＲＱ）方式で再送するように構成された再送モジュールをさらに備えたことを特徴とする請求項１５または１６に記載の基地局。
【請求項１８】
前記第１の受信モジュールは、
前記第２の受信モジュールが、前記一次セルを使用することによって、前記ＵＥによって送信された前記ＡＣＫ／ＮＡＣＫ情報を受信する前に、前記第２の基地局によって送信されたＲＬＣパケット組立て結果を受信することであって、前記ＲＬＣパケット組立て結果は、前記二次セルを使用することによって前記ＵＥに前記第２の基地局によって伝送されたＲＬＣデータパケットについての情報を示すのに使用され、および、前記二次セルを使用することによって前記ＵＥに前記第２の基地局によって伝送された前記ＲＬＣデータパケットは、前記第１の量の前記ＲＬＣデータパケットの一部分またはすべてを含み、
前記再送モジュールは、前記一次セルを使用することによっておよび前記第２の送信モジュールを使用することによって、前記ＲＬＣパケット組立て結果に従って、前記ＮＡＣＫに対応する前記ＲＬＣデータパケットを前記ＵＥに前記ＡＲＱ方式で再送するように構成されたことを特徴とする請求項１７に記載の基地局。
【請求項１９】
前記第１の送信モジュールは、
前記判定モジュールは、前記第２の基地局によって前記二次セルを使用することによって前記ＮＡＣＫに対応する前記ＲＬＣデータパケットに対して前記ＨＡＲＱを実行することによって、前記ＨＡＲＱ複合利得を獲得することができないと決定した場合、前記第２の基地局に前記ＮＡＣＫを送信すること、および前記二次セルを使用することによって、前記ＮＡＣＫに対応する前記ＲＬＣデータパケットを前記ＵＥにＡＲＱ方式で再送するように前記第２の基地局に命令するようにさらに構成されたことを特徴とする請求項１５または１６に記載の基地局。
【請求項２０】
第２の基地局として動作するように構成された基地局であって、
無線リンク制御（ＲＬＣ）データパケット要求メッセージを第１の基地局に送信するように構成された第１の送信モジュールであって、前記ＲＬＣデータパケット要求メッセージは、二次セルを使用することによってキャリアアグリゲーション（ＣＡ）ユーザ機器（ＵＥ）に前記第２の基地局によって送信されるべきＲＬＣデータパケットの第１の量を前記第１の基地局から要求するのに前記第２の基地局によって使用され、前記ＲＬＣデータパケット要求メッセージは、前記第２の基地局によって第１の時点でおよび前記第１の送信モジュールを使用することによって前記第１の基地局に送信され、前記第１の時点と第２の時点との間の時間差は、Ｔであり、およびＴは、２ｔ以上であり、前記第２の時点は、前記第２の基地局が、第２の送信モジュールを使用することによって前記第１の量のＲＬＣデータパケットを前記ＵＥに送信する時点であり、およびｔは、前記第２の基地局と前記第１の基地局との間の単方向伝送遅延である、該第１の送信モジュールと、
前記第１の基地局によって送信された前記第１の量の前記ＲＬＣデータパケットを受信するように構成された第１の受信モジュールであって、前記第１の量の前記ＲＬＣデータパケットを決定するプロセスは、前記第１の基地局によって前記ＲＬＣデータパケット要求メッセージに従ってＴ−ｔの持続時間において一次セルを使用することによって、前記第１の基地局によって前記ＵＥに送信されるべきＲＬＣデータパケットの第２の量を決定することであって、Ｔ−ｔの前記持続時間の開始時間は、前記第１の基地局が前記ＲＬＣデータパケット要求メッセージを受信する時点である、こと、ならびに前記第１の基地局によって、送信されるべきＲＬＣデータパケットのシリアル番号の昇順で、前記送信されるべきＲＬＣデータパケットにおける前記第２の量の第１のＲＬＣデータパケットを前記第１の基地局に割り当てること、およびシリアル番号が前記第２の量の前記第１のＲＬＣデータパケットのシリアル番号の後に続く第１のＲＬＣデータパケットから開始して、前記第１の量の前記ＲＬＣデータパケットを前記第２の基地局に割り当てることを含む、該第１の受信モジュールと
を備えたことを特徴とする基地局。
【請求項２１】
前記第１の受信モジュールは、
前記第１の基地局によって送信され、および前記第１の量の前記ＲＬＣデータパケットの一部分またはすべてに関する前記ＵＥのものであるフィードバック情報を受信することであって、前記第１の量の前記ＲＬＣデータパケットに関する前記ＵＥの前記フィードバック情報は、前記ＵＥによって前記第１の基地局に送信された肯定応答（ＡＣＫ）／否定応答（ＮＡＣＫ）情報に属し、および前記ＡＣＫ／ＮＡＣＫ情報は、前記第２の量の前記ＲＬＣデータパケットに関する前記ＵＥのフィードバック情報をさらに含む、該受信するようにさらに構成されたことを特徴とする請求項２０に記載の基地局。
【請求項２２】
前記第１の送信モジュールは、
前記第１の受信モジュールが、前記第１の基地局によって送信され、および前記第１の量の前記ＲＬＣデータパケットの一部分またはすべてに関する前記ＵＥのものである前記フィードバック情報を受信する前に、前記第１の基地局にＲＬＣパケット組立て結果を送信することであって、前記ＲＬＣパケット組立て結果は、前記二次セルを使用することによっておよび前記第２の送信モジュールを使用することによって、前記ＵＥに前記第２の基地局によって伝送されたＲＬＣデータパケットについての情報を示すのに使用され、および、前記二次セルを使用することによっておよび前記第２の送信モジュールを使用することによって、前記ＵＥに前記第２の基地局によって伝送された前記ＲＬＣデータパケットは、前記第１の量の前記ＲＬＣデータパケットの一部分またはすべてを含む、該送信するようにさらに構成されたことを特徴とする請求項２１に記載の基地局。
【手続補正２】
【補正対象書類名】明細書
【補正対象項目名】０１１５
【補正方法】変更
【補正の内容】
【０１１５】
しかし、従来技術において、マクロｅノードＢは、ＲＬＣデータパケットを再送する必要があるものの、マクロｅノードＢは、ＵＥによってフィードバックされるＳＮステータスレポートを先に待つ必要があり、ＳＮステータスレポートが受信された後、マクロｅノードＢは、正確にいずれのＲＬＣデータパケットがマイクロｅノードＢによってＵＥに伝送されたかを知り、次にマクロｅノードＢは、ＲＬＣデータパケットの一部分またはすべてを再送することができる。従来技術と比較されて、本発明のこの実施形態における技術的ソリューションは、ＲＬＣサービス対話の時間を低減し、および伝送効率を向上させることが見られることができる。
【国際調査報告】
2018510548.tif 000013
2018510548.tif 000014
2018510548.tif 000015
2018510548.tif 000016